(57)【要約】【課題】構内電子交換機に収容される内線がＩＳＤＮトランクを介して緊急呼発信した場合の公衆網側からの再呼び出しに対して緊急呼発信内線の呼び返しを可能とする。【解決手段】内線電話機から公衆網ＩＳＤＮトランクに緊急呼発信があった場合に緊急呼に関する情報を記憶する緊急呼情報記憶手段と、記憶されている情報を利用してＩＳＤＮのＢチャネルの選択及び捕捉を制御するトランク・Ｂチャネル選択手段と、公衆網ＩＳＤＮに通知するＳＥＴＵＰ信号を利用して公衆網側が緊急呼発信内線を一意に識別できる情報を編集制御する緊急呼ＳＥＴＵＰ信号編集手段と、前記ＳＥＴＵＰ信号等を受信した時に前記記憶情報を更新又は消去する緊急呼情報記憶手段制御手段と、前記ＳＥＴＵＰ信号を受信した時に、前記記憶情報を利用して緊急呼発信内線の呼び返し制御を行う緊急呼発信内線等着信制御手段とを備える構内電子交換機等。【選択図】図１
2008048123.tif 000002
【特許請求の範囲】
【請求項１】
内線電話機とＩＳＤＮトランクとを収容する構内電子交換機であって、
前記内線電話機から公衆網ＩＳＤＮトランクに緊急呼発信が行なわれた場合に、該緊急呼に関する情報を記憶する緊急呼情報記憶手段と、
該緊急呼情報記憶手段に記憶されている情報を利用してＩＳＤＮのＢチャネルの選択及び捕捉を制御するトランク・Ｂチャネル選択手段と、
前記公衆網ＩＳＤＮに通知するＳＥＴＵＰ信号を利用して公衆網側が緊急呼発信内線を一意に識別できる情報を編集制御する緊急呼ＳＥＴＵＰ信号編集手段と、
前記公衆網ＩＳＤＮから通知されるＳＥＴＵＰ信号もしくはＣＯＮＮ信号を受信した時、又は、前記緊急呼情報記憶手段に記憶されているタイマ値を利用し、前記緊急呼情報記憶手段に記憶されている情報を更新又は消去する緊急呼情報記憶手段制御手段と、
前記公衆網ＩＳＤＮから通知される前記ＳＥＴＵＰ信号を受信した時に、前記緊急呼情報記憶手段に記憶している情報を利用して緊急呼発信内線の呼び返し制御を行う緊急呼発信内線等着信制御手段とを備えることを特徴とする構内電子交換機。
【請求項２】
前記緊急呼情報記憶手段が記憶する前記緊急呼に関する情報には、緊急呼番号、呼状態値、設定タイマ値、緊急呼発信端子情報、緊急呼発信端子番号、又は緊急呼発信端子サブアドレスが含まれることを特徴とする請求項１に記載の構内電子交換機。
【請求項３】
前記緊急呼ＳＥＴＵＰ信号編集手段は、前記ＳＥＴＵＰ信号の発番号情報要素又は／及び発サブアドレス情報要素を利用して公衆網側が緊急呼発信内線を一意に識別できる情報を編集制御することを特徴とする請求項１又は２に記載の構内電子交換機。
【請求項４】
前記構内電子交換機に収容される前記内線電話機は、アナログ電話機、ディジタル多機能電話機、ＩＳＤＮ端末、ＰＨＳ端末、又はＤｐチャネル共通線等の専用線を介して接続される対向交換機に収容される内線電話機であることを特徴とする請求項１、２又は３に記載の構内電子交換機。
【請求項５】
前記トランク・Ｂチャネル選択手段は、前記緊急呼情報記憶手段に緊急呼情報が記憶されているＢチャネルトランクを、一般呼発信、又は緊急呼再発信を含む緊急呼発信時の選択及び捕捉の対象から除外することを特徴とする請求項１乃至４のいずれかに記載の構内電子交換機。
【請求項６】
前記トランク・Ｂチャネル選択手段は、前記緊急呼情報記憶手段に緊急呼情報が記憶されているＢチャネルトランクを、該Ｂチャネルトランクを使用した緊急呼発信内線以外の発信時の選択及び捕捉の対象から除外し、該緊急呼発信内線の発信時は、該Ｂチャネルトランクのみを選択及び捕捉することを特徴とする請求項１乃至５のいずれかに記載の構内電子交換機。
【請求項７】
前記緊急呼ＳＥＴＵＰ信号編集手段は、前記ＳＥＴＵＰ信号の発サブアドレス情報要素に、前記内線電話機の内線番号をマッピングすることを特徴とする請求項１乃至６のいずれかに記載の構内電子交換機。
【請求項８】
前記緊急呼ＳＥＴＵＰ信号編集手段は、前記ＳＥＴＵＰ信号の発サブアドレス情報要素に、前記緊急呼番号と前記内線電話機の内線番号とを組み合わせたものをマッピングすることを特徴とする請求項１乃至７のいずれかに記載の構内電子交換機。
【請求項９】
前記緊急呼ＳＥＴＵＰ信号編集手段が前記ＳＥＴＵＰ信号の発サブアドレス情報要素に、前記内線番号、又は前記緊急呼番号と前記内線番号とを組み合わせたものをマッピングするのは、緊急呼発信の場合に限ることを特徴とする請求項７又は８に記載の構内電子交換機。
【請求項１０】
前記緊急呼発信内線等着信制御手段が緊急呼発信内線を呼び返す際には、一般呼着信とは異なるパターンのリンギング信号又は着信呼び出し音を送出して着信させることを特徴とする請求項１乃至９のいずれかに記載の構内電子交換機。
【請求項１１】
前記緊急呼発信内線等着信制御手段は、緊急呼発信内線を呼び返す際には、各種転送系機能や内線代表着信機能を無効として緊急呼発信内線に着信させることを特徴とする請求項１乃至１０のいずれかに記載の構内電子交換機。
【請求項１２】
前記緊急呼発信内線等着信制御手段は、呼び返すべき内線が使用中の状態の場合には、呼び返すことが可能となる状態になるまで一定時間待ち続けることを特徴とする請求項１乃至１１のいずれかに記載の構内電子交換機。
【請求項１３】
前記緊急呼発信内線等着信制御手段は、呼び返すべき内線が通話中の状態で、一定時間待ち続けても呼び返すべき内線が呼び返すことができる状態とならない場合には、予め指定された緊急呼特定内線に転送接続することを特徴とする請求項１乃至１２のいずれかに記載の構内電子交換機。
【請求項１４】
前記緊急呼発信内線等着信制御手段は、緊急呼発信内線を呼び返した際に一定時間不応答の場合には、予め指定された緊急呼特定内線に転送接続することを特徴とする請求項１乃至１３のいずれかに記載の構内電子交換機。
【請求項１５】
前記緊急呼発信内線等着信制御手段は、緊急呼特定内線を呼び出す際に、前記緊急呼情報記憶手段に記憶している緊急呼発信内線の情報を表示することを特徴とする請求項１乃至１４のいずれかに記載の構内電子交換機。
【請求項１６】
前記緊急呼発信内線等着信制御手段は、呼び返すべき内線が通話中の状態の場合には、割り込み接続することを特徴とする請求項１乃至１５のいずれかに記載の構内電子交換機。
【請求項１７】
内線電話機とＩＳＤＮトランクとを収容する構内電子交換機の制御方法であって、
前記内線電話機から公衆網ＩＳＤＮトランクに緊急呼発信が行なわれた場合に、該緊急呼に関する情報を記憶し、
該記憶されている情報を利用してＩＳＤＮのＢチャネルの選択及び捕捉を制御し、
前記公衆網ＩＳＤＮに通知するＳＥＴＵＰ信号を利用して公衆網側が緊急呼発信内線を一意に識別できる情報を編集制御し、
前記公衆網ＩＳＤＮから通知されるＳＥＴＵＰ信号もしくはＣＯＮＮ信号を受信した時、又は、前記記憶されているタイマ値を利用し、前記記憶されている情報を更新又は消去し、
前記公衆網ＩＳＤＮから通知される前記ＳＥＴＵＰ信号を受信した時に、前記緊急呼情報記憶手段に記憶している情報を利用して緊急呼発信内線の呼び返し制御を行うことを特徴とする構内電子交換機の制御方法。
【請求項１８】
前記記憶する前記緊急呼に関する情報には、緊急呼番号、呼状態値、設定タイマ値、緊急呼発信端子情報、緊急呼発信端子番号、又は緊急呼発信端子サブアドレスが含まれることを特徴とする請求項１７に記載の構内電子交換機の制御方法。
【請求項１９】
前記ＳＥＴＵＰ信号の発番号情報要素又は／及び発サブアドレス情報要素を利用して公衆網側が緊急呼発信内線を一意に識別できる情報を編集制御することを特徴とする請求項１７又は１８に記載の構内電子交換機の制御方法。
【請求項２０】
前記構内電子交換機に収容される前記内線電話機は、アナログ電話機、ディジタル多機能電話機、ＩＳＤＮ端末、ＰＨＳ端末、又はＤｐチャネル共通線等の専用線を介して接続される対向交換機に収容される内線電話機であることを特徴とする請求項１７、１８又は１９に記載の構内電子交換機の制御方法。
【請求項２１】
前記緊急呼情報が記憶されているＢチャネルトランクを、一般呼発信、又は緊急呼再発信を含む緊急呼発信時の選択及び捕捉の対象から除外することを特徴とする請求項１７乃至２０のいずれかに記載の構内電子交換機の制御方法。
【請求項２２】
前記緊急呼情報が記憶されているＢチャネルトランクを、該Ｂチャネルトランクを使用した緊急呼発信内線以外の発信時の選択及び捕捉の対象から除外し、該緊急呼発信内線の発信時は、該Ｂチャネルトランクのみを選択及び捕捉することを特徴とする請求項１７乃至２１のいずれかに記載の構内電子交換機の制御方法。
【請求項２３】
前記ＳＥＴＵＰ信号の発サブアドレス情報要素に、前記内線電話機の内線番号をマッピングすることを特徴とする請求項１７乃至２２のいずれかに記載の構内電子交換機の制御方法。
【請求項２４】
前記ＳＥＴＵＰ信号の発サブアドレス情報要素に、前記緊急呼番号と前記内線電話機の内線番号とを組み合わせたものをマッピングすることを特徴とする請求項１７乃至２３のいずれかに記載の構内電子交換機の制御方法。
【請求項２５】
前記ＳＥＴＵＰ信号の発サブアドレス情報要素に、前記内線番号、又は前記緊急呼番号と前記内線番号とを組み合わせたものをマッピングするのは、緊急呼発信の場合に限ることを特徴とする請求項２３又は２４に記載の構内電子交換機の制御方法。
【請求項２６】
緊急呼発信内線を呼び返す際には、一般呼着信とは異なるパターンのリンギング信号又は着信呼び出し音を送出して着信させることを特徴とする請求項１７乃至２５のいずれかに記載の構内電子交換機の制御方法。
【請求項２７】
緊急呼発信内線を呼び返す際には、各種転送系機能や内線代表着信機能を無効として緊急呼発信内線に着信させることを特徴とする請求項１７乃至２６のいずれかに記載の構内電子交換機の制御方法。
【請求項２８】
呼び返すべき内線が使用中の状態の場合には、呼び返すことが可能となる状態になるまで一定時間待ち続けることを特徴とする請求項１７乃至２７のいずれかに記載の構内電子交換機の制御方法。
【請求項２９】
呼び返すべき内線が通話中の状態で、一定時間待ち続けても呼び返すべき内線が呼び返すことができる状態とならない場合には、予め指定された緊急呼特定内線に転送接続することを特徴とする請求項１７乃至２８のいずれかに記載の構内電子交換機の制御方法。
【請求項３０】
緊急呼発信内線を呼び返した際に一定時間不応答の場合には、予め指定された緊急呼特定内線に転送接続することを特徴とする請求項１７乃至２９のいずれかに記載の構内電子交換機の制御方法。
【請求項３１】
前記緊急呼特定内線を呼び出す際に、前記記憶している緊急呼発信内線の情報を表示することを特徴とする請求項１７乃至３０のいずれかに記載の構内電子交換機の制御方法。
【請求項３２】
呼び返すべき内線が通話中の状態の場合には、割り込み接続することを特徴とする請求項１７乃至３１のいずれかに記載の構内電子交換機の制御方法。
【請求項３３】
内線電話機とＩＳＤＮトランクとを収容する構内電子交換機の制御プログラムであって、
前記内線電話機から公衆網ＩＳＤＮトランクに緊急呼発信が行なわれた場合に、該緊急呼に関する情報を記憶するステップと、
該記憶されている情報を利用してＩＳＤＮのＢチャネルの選択及び捕捉を制御するステップと、
前記公衆網ＩＳＤＮに通知するＳＥＴＵＰ信号を利用して公衆網側が緊急呼発信内線を一意に識別できる情報を編集制御するステップと、
前記公衆網ＩＳＤＮから通知されるＳＥＴＵＰ信号もしくはＣＯＮＮ信号を受信した時、又は、前記記憶されているタイマ値を利用し、前記記憶されている情報を更新又は消去するステップと、
前記公衆網ＩＳＤＮから通知される前記ＳＥＴＵＰ信号を受信した時に、前記緊急呼情報記憶手段に記憶している情報を利用して緊急呼発信内線の呼び返し制御を行うステップとを備えることを特徴とする構内電子交換機の制御プログラム。
【請求項３４】
前記記憶する前記緊急呼に関する情報には、緊急呼番号、呼状態値、設定タイマ値、緊急呼発信端子情報、緊急呼発信端子番号、又は緊急呼発信端子サブアドレスが含まれることを特徴とする請求項３３に記載の構内電子交換機の制御プログラム。
【請求項３５】
前記ＳＥＴＵＰ信号の発番号情報要素又は／及び発サブアドレス情報要素を利用して公衆網側が緊急呼発信内線を一意に識別できる情報を編集制御するステップを備えることを特徴とする請求項３３又は３４に記載の構内電子交換機の制御プログラム。
【請求項３６】
前記構内電子交換機に収容される前記内線電話機は、アナログ電話機、ディジタル多機能電話機、ＩＳＤＮ端末、ＰＨＳ端末、又はＤｐチャネル共通線等の専用線を介して接続される対向交換機に収容される内線電話機であることを特徴とする請求項３３、３４又は３５に記載の構内電子交換機の制御プログラム。
【請求項３７】
前記緊急呼情報が記憶されているＢチャネルトランクを、一般呼発信、又は緊急呼再発信を含む緊急呼発信時の選択及び捕捉の対象から除外するステップを備えることを特徴とする請求項３３乃至３６のいずれかに記載の構内電子交換機の制御プログラム。
【請求項３８】
前記緊急呼情報が記憶されているＢチャネルトランクを、該Ｂチャネルトランクを使用した緊急呼発信内線以外の発信時の選択及び捕捉の対象から除外し、該緊急呼発信内線の発信時は、該Ｂチャネルトランクのみを選択及び捕捉するステップを備えることを特徴とする請求項３３乃至３７のいずれかに記載の構内電子交換機の制御プログラム。
【請求項３９】
前記ＳＥＴＵＰ信号の発サブアドレス情報要素に、前記内線電話機の内線番号をマッピングするステップを備えることを特徴とする請求項３３乃至３８のいずれかに記載の構内電子交換機の制御プログラム。
【請求項４０】
前記ＳＥＴＵＰ信号の発サブアドレス情報要素に、前記緊急呼番号と前記内線電話機の内線番号とを組み合わせたものをマッピングするステップを備えることを特徴とする請求項３３乃至３９のいずれかに記載の構内電子交換機の制御プログラム。
【請求項４１】
前記ＳＥＴＵＰ信号の発サブアドレス情報要素に、前記内線番号、又は前記緊急呼番号と前記内線番号とを組み合わせたものをマッピングするのは、緊急呼発信の場合に限ることを特徴とする請求項３９又は４０に記載の構内電子交換機の制御プログラム。
【請求項４２】
緊急呼発信内線を呼び返す際には、一般呼着信とは異なるパターンのリンギング信号又は着信呼び出し音を送出して着信させるステップを備えることを特徴とする請求項３３乃至４１のいずれかに記載の構内電子交換機の制御プログラム。
【請求項４３】
緊急呼発信内線を呼び返す際には、各種転送系機能や内線代表着信機能を無効として緊急呼発信内線に着信させるステップを備えることを特徴とする請求項３３乃至４２のいずれかに記載の構内電子交換機の制御プログラム。
【請求項４４】
呼び返すべき内線が使用中の状態の場合には、呼び返すことが可能となる状態になるまで一定時間待ち続けるステップを備えることを特徴とする請求項３３乃至４３のいずれかに記載の構内電子交換機の制御プログラム。
【請求項４５】
呼び返すべき内線が通話中の状態で、一定時間待ち続けても呼び返すべき内線が呼び返すことができる状態とならない場合には、予め指定された緊急呼特定内線に転送接続するステップを備えることを特徴とする請求項３３乃至４４のいずれかに記載の構内電子交換機の制御プログラム。
【請求項４６】
緊急呼発信内線を呼び返した際に一定時間不応答の場合には、予め指定された緊急呼特定内線に転送接続するステップを備えることを特徴とする請求項３３乃至４５のいずれかに記載の構内電子交換機の制御プログラム。
【請求項４７】
前記緊急呼特定内線を呼び出す際に、前記記憶している緊急呼発信内線の情報を表示するステップを備えることを特徴とする請求項３３乃至４６のいずれかに記載の構内電子交換機の制御プログラム。
【請求項４８】
呼び返すべき内線が通話中の状態の場合には、割り込み接続するステップを備えることを特徴とする請求項３３乃至４７のいずれかに記載の構内電子交換機の制御プログラム。
【発明の詳細な説明】
【技術分野】
【０００１】
本発明は、ＩＳＤＮの緊急呼発信及び再呼び出しを可能とした構内電子交換機及びその制御方法等に関する。
【背景技術】
【０００２】
従来、アナログ加入者回線で提供されている緊急呼再呼び出し機能は、警察接続（１１０），消防接続（１１９）乃至海上保安機関接続（１１８）に発信接続が行なわれた場合、加入者回線側から先掛け復旧しても、緊急呼受付台が切断しない限り、当該加入者回線を公衆網側で保持し、再呼び出し（呼び返し）を可能としている。そして、構内交換機に収容したアナログ局線に対して緊急呼再呼び出しが行われた場合に、緊急呼発信を行なった内線を呼び返す方式は、従来から提案され、実施されてきた（例えば、特許文献１乃至３）。
【０００３】
緊急呼再呼び出しの典型的な例として、上記特許文献２及び３に記載の方法を組み合わせた方法は、以下の通りである。
【０００４】
（１）ダイヤル番号から緊急呼発信であることを識別する。
（２）緊急呼発信の場合には、緊急呼情報メモリに、緊急呼発信内線番号・捕捉局線トランク番号を記録する。
（３）緊急呼発信内線が先掛け復旧した場合には、緊急呼発信内線及び捕捉局線トランクを一定時間予約する。
（４）当該局線トランクに、予約時間内に緊急呼の再呼び出し（発信者番号が“１１０”か“１１９”）があった場合には、緊急呼情報メモリに記録されている予約内線に接続する。
（５）当該局線トランクに、予約時間内に着信がないか、予約時間内に緊急呼の再呼び出し以外の着信（発信者番号が通知されないか、発信者番号が“１１０”でも“１１９”でもない）があった場合には、緊急呼情報メモリをクリアし、予約を解除する。
【０００５】
一方、ＩＳＤＮ（Integrated Services Digital Network, サービス総合ディジタル網）である、ＩＮＳネットの緊急呼の仕様は、非特許文献１に記載されている。尚、「ＩＮＳ」，「ＩＮＳネット」，「ＩＮＳネット６４」は、日本電信電話株式会社の登録商標である。
【０００６】
アナログ局線の緊急呼に存在しない仕様として、ＩＮＳネットの緊急呼の仕様には、次のようなものがある。
【０００７】
（１）呼び出し時の接続として、接続後に発信ユーザが切断しても、警察受付台、消防受付台又は海上保安機関受付台から網が切断されるまでの間は、同一インタフェースグループからの発信で“発番号”，“発サブアドレス”，“低位レイヤ整合性情報”，“高位レイヤ整合性情報”の情報要素が一致した場合には、“着番号”の情報要素の設定内容に関わらず、受付台に接続される。但し、“チャネル識別子”の情報要素で切断したチャネル以外の空きチャネルを変更不可として指定して発信した場合には、ビジーになる。また、“発番号”，“発サブアドレス”，“低位レイヤ整合性情報”，“高位レイヤ整合性情報”の情報要素のいずれかが不一致であっても、切断した同じチャネルを変更不可として指定して発信した場合は、ビジーになる。
【０００８】
（２）再呼び出し時の接続として、警察接続（１１０）、消防接続（１１９）及び海上保安機関接続（１１８）の再呼び出し時の「呼設定」メッセージは、“着番号”の情報要素が設定される。この“着番号”の情報要素に設定される番号ディジットは、警察接続（１１０）、消防接続（１１９）及び海上保安機関接続（１１８）への呼び出しを行なった際に、「呼設定」メッセージに設定された“発番号”の情報要素の番号ディジットである。呼び出し時の「呼設定」メッセージに“発番号”の情報要素が設定されていない場合には、そのインタフェースグループの契約者回線番号が設定される。但し、ダイヤルイン機能の契約がなされていないインタフェースグループへの再呼び出し時には、“着番号”の情報要素が設定されない。
【０００９】
着信ユーザへの「呼設定」メッセージには“発番号”の情報要素が必ず含まれる。“発番号”の情報要素の番号ディジットには、警察受付台からの再呼び出し時は「１１０」、消防受付台からの再呼び出し時は「１１９」、海上保安機関受付台からの再呼び出し時は「１１８」が各々設定されている。このとき、番号ディジット以外の情報要素内容（番号計画識別子，番号計画識別子，網検証識別子，表示識別子）については、ユーザからの発信形態の条件により変わることがある。また、再呼び出し時には、任意チャネル着信の契約に関わらず“チャネル識別子”の情報要素の設定は、常に「希望チャネルあり、他へのチャネルの変更不可」となる。
【００１０】
すなわち、警察受付台、消防受付台又は海上保安機関受付台から網が切断されるまでの間は、公衆網側にて緊急呼発信した加入者端末の発信者番号等の情報を保持しており、緊急呼発信をしたＩＳＤＮ端末からの発信接続を、ＩＳＤＮ端末から切断しても、緊急呼受付台側が保持している間は、同一ＩＳＤＮ端末からの同一Ｂチャネルを使用しての発信は、強制的に緊急呼受付台側に再接続され、同一ＩＳＤＮ端末からの異なるＢチャネルを使用しての発信を規制し、緊急呼受付台側からの再呼び出しに備えさせることを意図していると考えられる。
【００１１】
この仕様は、一般家庭で最も多く使われる形態である、ＩＳＤＮ端末を公衆網のＢＲＩ（Basic Rate Interface, ＩＳＤＮ基本インタフェース）に１台直接接続したケースを想定した仕様であると考えられる。尚、以下に示す特許文献等においても、上記公衆網側の仕様は考慮されていない。
【００１２】
次に、構内交換機に収容したアナログ局線に対して緊急呼再呼び出しが行われた場合に、緊急呼発信を行なった内線の呼び返しを実現する発明例について説明する。
【００１３】
特許文献１に記載の発明は、構内交換機に収容した内線からアナログ局線に対して緊急呼発信した場合、発呼者がダイヤル後、実際に局線を捕捉及び発信するまで一定のタイミングをとることと、実際に局線を捕捉及び発信した後、発呼者が切断しても、一定のタイミング以内に緊急呼受付台が応答して発呼者を呼び出すことにより、発呼者の誤ダイヤルにより局線トランクを無効に保留してしまうことを防止するとともに、緊急呼の呼び出し中に発呼者が切断しても、受付台が応答することにより発呼者を呼び返せるようにする効果を狙ったものである。
【００１４】
この発明は、局線がＩＳＤＮの場合にも適用することができ、意図した効果を得ることができる。但し、この発明では、局線がＩＳＤＮの場合には、公衆網側での緊急呼発信者属性チェック（発番号等のチェック）による規制には何ら対処できるものではなく、内線がＩＳＤＮ端末の場合にどのように呼び返すのかにも言及されておらず、本願発明が解決しようとしている課題の解決に結びつくものではない。
【００１５】
また、特許文献２に記載の発明は、構内交換機に収容した内線からアナログ局線に対して緊急呼発信した場合、内線からの先掛け復旧時に、局線が切断するまで緊急呼発信内線を予約状態にしておき、緊急呼受付台からの再呼び出し操作時に、当該内線を呼び返すことができるようにするものである。但し、この発明では、局線がＩＳＤＮの場合、内線からの先掛け復旧時にも局線トランク（Ｂチャネル）は復旧されてしまうため、ＩＳＤＮの緊急呼発信及び再呼び出しを可能とすることはできない。仮に、内線からの先掛け復旧時にＢチャネルを保持する仕組みにすると、ＩＳＤＮの場合の緊急呼再呼び出しは、ＳＥＴＵＰ信号によって行なわれる仕様であるから、公衆網からの緊急呼再呼び出し（呼び返し）信号を受信することができなくなる。
【００１６】
また、この発明でも、局線がＩＳＤＮの場合には、公衆網側での緊急呼発信者属性チェックによる規制には何ら対処できるものではないし、内線がＩＳＤＮ端末の場合にどのように予約・呼び返すのかにも言及されておらず（交換機から予約制御できるのはＩＬＣ（ＩＳＤＮ用ライン回路）のＢチャネルであり、交換機からＩＳＤＮ端末自体を予約する手段は示されていないし、一般に、ＩＳＤＮ端末の切断操作でＩＳＤＮ端末とＩＬＣ間を復旧しないようにするためには、構内交換機側だけでなくＩＳＤＮ端末側の改造を必要とする）、本願発明が解決しようとしている課題の解決に結びつく発明ではない。
【００１７】
さらに、特許文献３に記載の発明は、構内交換機に収容した内線からアナログ局線に対して緊急呼発信した場合に、捕捉局線トランクに関連付けて内線番号及びタイマカウンタをメモリに記憶しておき、緊急呼発信内線が先掛け復旧した時に、一定時間内に当該トランクに着信があると、発信者番号が“１１０”か“１１９”であれば緊急呼再呼び出しであるとみなして、メモリに内線番号を記憶していた内線を呼び返す。また、一定時間は、メモリに内線番号が記憶されている内線からの内線発信及び外線発信を規制し、当該電話が使用できないようにするものである。また、当該トランクに発信者番号が“１１０”か“１１９”以外の一般呼着信があった場合には、すぐにメモリクリアし、予約を解除するものである。
【００１８】
この発明も、局線がＩＳＤＮの場合には、公衆網側での緊急呼発信者属性チェックによる規制には何ら対処できるものではないし、緊急呼発信内線が先掛け復旧後、緊急呼受付台が切断して公衆網側での緊急呼保留が解除された場合でも、その旨ユーザ側である構内交換機には通知されないため、緊急呼発信内線が一定時間使用できなくなる。また、この発明の主目的は、予約状態にある緊急呼発信トランクに一般呼着信があった場合に、すぐに予約状態を解除し、無効に予約状態とする時間を削減することである。そのため、この発明は、本願発明が解決しようとしている課題の解決に結びつく発明ではない。
【００１９】
また、特許文献４には、１１０番、１１９番等の緊急通話後に、緊急通話先からの呼び返しが行われた際に、発呼内線に着信可能で、速やかな対応を可能とするため、構内電話交換機の内線電話機から緊急通話への外線発信接続において、局線トランクの捕捉時に、当該発呼内線番号の方路番号とトランク番号とを主記憶装置の緊急通話発呼内線番号メモリに記憶し、内線電話機と緊急通話終了後、当該緊急通話先からの呼び返しによる局線トランクへの着信時に、主記憶装置の緊急通話発呼内線番号メモリにアクセスし、発呼内線番号を読み出して、読み出された発呼内線に着信する方法が記載されている。
【００２０】
しかし、この文献は、上記特許文献２及び３に記載の発明を組み合わせたものに近い技術を開示したものであるとともに、予約状態とする手段を備えない装置に関するものであり、上記特許文献２等と同様に、本願発明が解決しようとしている課題の解決に結びつく技術を提案するものではない。
【００２１】
次に、構内交換機に収容したＩＳＤＮ端末に対して緊急呼再呼び出しを実現する発明例として、特許文献５に記載の発明は、構内交換機と局線とのインタフェースに関するものではなく、構内交換機に収容される内線がＩＳＤＮ端末の場合に、緊急呼発信に対応させるものである。緊急呼発信後、ＩＳＤＮ端末側からの先掛け復旧時、ＩＬＣのＢチャネルを一定時間予約状態にしておくことにより、その後の緊急呼再呼び出し時に、ＩＬＣのＢチャネルがすべてビジーになることによりＩＳＤＮ端末を呼び返せなくなることを防ぐものである。
【００２２】
この発明は、本願発明と組み合わせて利用することができるものであるが、本願発明では、構内交換機とＩＳＤＮ局線間のインタフェース制御に主点をおいているものであり、交換機に収容されるＩＳＤＮ端末とのインタフェース制御に主点をおいているこの発明とは、得られる効果も、構成要素も異なる。
【００２３】
次に、公衆網側の交換機と緊急呼受付台とを接続する装置に関する技術として、特許文献６に記載の緊急呼接続方式及び装置は、新しいディジタル通信方式による設備の増加、及び既存のディジタル通信方式による加入者数の増加に対応し、警察、消防等への緊急呼の接続を経済的かつ合理的に実行するものであるが、この発明は、構内交換機に関するものではなく、公衆網側の交換機と、緊急呼受付台とを接続する装置に関するものであり、実際のＩＮＳネットでは、非公開かつ独自手順で実現されている部分に関する発明であり、本願発明とは、緊急呼を扱うシステムに適用する位置が異なる。
【００２４】
さらに、構内交換機（集線装置）間のディジタル専用線間の緊急呼制御方式に関する特許文献７に記載の発明は、構内交換機と、別の構内交換機とを結ぶ専用線インタフェースに関するものであり、専用線インタフェースは、対向交換機にも発明を適用することで、独自手順で実現できるものであり、既に仕様条件が決まっている公衆網とのインタフェースは変更しないことを前提条件とし、発明を適用する構内交換機側だけに発明を適用するだけで課題を解決しようとしている本願発明とは目的及び構成が異なる。
【００２５】
また、特許文献８に記載のＰＨＳの基地局（ＣＳ）で緊急呼呼び返しを実現する発明は、局線側のインタフェースに関するものではなく、構内交換機に収容される内線がＰＨＳ端末の場合に、緊急呼発信に対応させるものである。緊急呼発信後、ＰＳ（無線移動局；一般に「ＰＨＳ端末」と呼ばれる）側からの先掛け復旧時、その接続に用いていたＣＳ（無線基地局）で保留する緊急呼の数を記憶するとともに、その数だけＣＳのチャネルを予約しておくことにより、その後の緊急呼再呼び出し時に、チャネルビジーに遭遇してＰＳを呼び返せなくなることを防ぐものである。この発明は、本願発明と組み合わせて利用することができるものであるが、本願発明では、構内交換機とＩＳＤＮ局線間のインタフェース制御のみに主点をおいており、交換機に収容されるＣＳとのインタフェース制御に主点をおいているこの発明とは得られる効果も、構成も異なる。
【００２６】
また、特許文献９には、ダイヤルイン構内交換機の内線電話端末機に対して警察及び消防の受付台から呼び返し信号が送出された場合に、警察等からの呼び返し信号が正しく警察等に通報を行った内線電話端末機に着信するようにするため、警察等への通報を行った内線の電話番号を記録しておき、呼び返しがあったとき、先に記録しておいた内線電話回線にダイヤルイン着信させることにより、ダイヤルイン構内交換機内線への呼び返しを着信させるように構成した警察、消防回線の呼び返し着信補正方法が記載されている。
【００２７】
この文献に記載の発明は、アナログ局線に関して、緊急呼か否かの識別に「極性」を用いる点が改良点ではあるが、局線がＩＳＤＮであることを前提としている本願発明とは直接関係がない。また、この文献では、ＩＳＤＮに関しても言及しているが、「一般の呼出信号には呼設定情報内の着番号情報に着信させるべきダイヤルイン内線電話番号が付加されてくるが、呼び返し信号にはこの着番号情報がなく、」との記載は、非特許文献１に、「この“着番号”情報要素に設定される番号ディジットは、警察接続（１１０）、消防接続（１１９）及び海上保安機関接続（１１８）への呼び出しを行なった際に、「呼設定」メッセージに設定された“発番号”情報要素の番号ディジットです。」と明記されているように事実とは異なるものになっている。
【００２８】
【特許文献１】特開平４−２９０３６４号公報
【特許文献２】特開平６−３３４７４４号公報
【特許文献３】特開２００１−３２０７４９号公報
【特許文献４】特開平５−１２２３７７号公報
【特許文献５】特開平４−２８８７５８号公報
【特許文献６】特開２００３−２０９６２３号公報
【特許文献７】特開平１０−２７６４５９号公報
【特許文献８】特開平２０００−４４７６号公報
【特許文献９】特開２００１−６９５４０号公報
【非特許文献１】「ＩＮＳネットサービスのインタフェース  第３分冊（レイヤ３回線交換編）第５版、付録１７、ＮＴＴ東日本株式会社、「緊急電話の接続についてへの追加・変更」（http://www.ntt-east.co.jp/ISDN/tech/spec/tsuika/pdf/118tuiki3-17.pdf）」
【発明の開示】
【発明が解決しようとする課題】
【００２９】
ここで、ＢＲＩやＰＲＩ（Primary Rate Interface, １次群速度インタフェース）を公衆網と接続する局線トランク（以下、「ＩＳＤＮトランク」と称す）として持つＥＰＢＸ（Electronic Private Branch eXchange：以下、適宜「ＥＰＢＸ」と称す）に収容される内線が緊急呼発信した場合、次のような問題が考えられる。
【００３０】
第１の問題点は、ＥＰＢＸに収容される内線がすべて同一発信者番号のみを公衆網に通知するか、発信者番号を公衆網に通知しないと、１台の内線が緊急呼発信してその呼が緊急呼受付台側で保持されている間は、すべての内線からの局線発信が強制的に緊急呼受付台に接続されてしまったり、公衆網側で規制（ビジー）とされてしまったりすることである。
【００３１】
この理由は、次の通りである。ＥＰＢＸに収容される内線がすべて同一発信者番号のみを公衆網に通知するか、発信者番号を公衆網に通知しないと、１台の内線が緊急呼発信してその呼が緊急呼受付台側で保持されている間は、すべての内線からの同一Ｂチャネルを使用した局線発信または同一インタフェースグループの他チャンネルをチャネル変更可とした局線発信は、すべて緊急呼受付台に強制的に接続されてしまい、すべての内線からの同一インタフェースグループの他チャンネルをチャネル変更不可とした局線発信は、すべて公衆網側で規制（ビジー）とされてしまう。
【００３２】
仮に、アナログ局線からの緊急呼制御の典型例として説明した上記特許文献２、３に記載の発明を組み合わせた方式、又は特許文献４や、特許文献９に記載の方式を適用したとしても、前者の課題を回避する（同一Ｂチャネルを使用した発信をＥＰＢＸ側で行なえなくする）ことができるようになるだけで、後者の課題を解決することはできない。
【００３３】
第２の問題点は、ＥＰＢＸに収容される内線がすべて同一発信者番号のみを公衆網に通知するか、発信者番号を公衆網に通知しないと、公衆網側から再呼び出しが行なわれた場合、常に同じ内線に着信してしまうか、常にどの内線にも着信できなくなってしまうことである。
【００３４】
その理由は、次の通りである。ＥＰＢＸに収容される内線がすべて同一発信者番号のみを公衆網に通知するか、発信者番号を公衆網に通知しないと、公衆網側から再呼び出しが行なわれた場合、常に同一の着番号が通知される。この着番号をＥＰＢＸの基本機能である数字分析を行なって着信先を決めてしまうと、常に同じ内線に着信してしまうか、常にどの内線にも着信できなくなってしまうからである。
【００３５】
これは、仮に、アナログ局線からの緊急呼制御の典型例として説明した特許文献２、３に記載の発明を組み合わせた方式を適用すれば、着番号を無視して、予約状態にしておいた緊急呼発信内線に接続することで回避できるが、この場合、次の第３の問題点が発生する。
【００３６】
第３の問題点は、緊急呼発信した内線からの先掛け復旧時、当該内線を一定時間予約状態とする方式を適用した場合、仮に緊急呼受付台側で切断されていても、一定時間当該内線の操作を行うことができないことである。
【００３７】
その理由は、次の通りである。内線が緊急呼発信接続して、当該内線が先掛け復旧しても、その呼が緊急呼受付台側で保持されている間は、公衆網側で保留されている。しかし、その後、緊急呼受付台が切断すれば、網側の保留も解除されるが、網側の保留が解除されたことは、公衆網側の仕様によりユーザ側であるＥＰＢＸには通知されない。このため、仮に、アナログ局線からの緊急呼制御の典型例として説明した特許文献２、３に記載の発明を組み合わせた方式を適用すると、当該内線は一定時間予約状態となり、仮に緊急呼受付台側で切断されていても、一定時間当該内線の操作を行うことができないことになるからである。このことから、緊急呼発信内線を一定時間予約状態にする方式には一長一短があることが分かる。
【００３８】
そこで、本発明は、ＥＰＢＸに収容される内線が、ＩＳＤＮトランクを介して緊急呼発信した場合の、公衆網側からの再呼び出しに対して、緊急呼発信内線の呼び返しを可能とすることを目的とする。
【００３９】
また、本発明の他の目的は、ＥＰＢＸに収容される内線がＩＳＤＮトランクを介して緊急呼発信し、当該内線からの先掛け復旧で、緊急呼受付台側から保持されている場合、当該内線からのＩＳＤＮトランクへの再発信が公衆網側で規制されるようにすることである。
【００４０】
本発明のさらに他の目的は、ＥＰＢＸに収容される内線が、ＩＳＤＮトランクを介して緊急呼発信し、当該内線からの先掛け復旧で、緊急呼受付台側から保持されている場合には、当該内線以外の内線からのＩＳＤＮトランクへの発信、又は、任意トランクからＩＳＤＮトランクへのタンデム発信が公衆網側で規制されないようにすることである。
【００４１】
本発明のさらに他の目的は、ＥＰＢＸに収容される内線が、ＩＳＤＮトランクを介して緊急呼発信し、当該内線からの先掛け復旧で、緊急呼受付台側から保持されている間でも、ＩＳＤＮトランク以外への発信を可能とし、緊急呼受付台側から切断され、網側の保留が終了した後も当該内線が予約状態のままとなり使用できない状態が続かないようにすることである。
【００４２】
本発明のさらに他の目的は、ＥＰＢＸに収容される内線が、ＩＳＤＮトランクを介して緊急呼発信し、当該内線からの先掛け復旧で、緊急呼受付台側から保持された後、緊急呼受付台側から切断され、公衆網側の保留が終了した後は、直ちに当該内線からのＩＳＤＮトランクへの発信を可能とすることである。
【課題を解決するための手段】
【００４３】
上記目的を達成するため、本発明は、ＥＰＢＸであって、内線電話機とＩＳＤＮトランクとを収容するＥＰＢＸであって、前記内線電話機から公衆網ＩＳＤＮトランクに緊急呼発信が行なわれた場合に、該緊急呼に関する情報を記憶する緊急呼情報記憶手段と、該緊急呼情報記憶手段に記憶されている情報を利用してＩＳＤＮのＢチャネルの選択及び捕捉を制御するトランク・Ｂチャネル選択手段と、前記公衆網ＩＳＤＮに通知するＳＥＴＵＰ信号を利用して公衆網側が緊急呼発信内線を一意に識別できる情報を編集制御する緊急呼ＳＥＴＵＰ信号編集手段と、前記公衆網ＩＳＤＮから通知されるＳＥＴＵＰ信号もしくはＣＯＮＮ信号を受信した時、又は、前記緊急呼情報記憶手段に記憶されているタイマ値を利用し、前記緊急呼情報記憶手段に記憶されている情報を更新又は消去する緊急呼情報記憶手段制御手段と、前記公衆網ＩＳＤＮから通知される前記ＳＥＴＵＰ信号を受信した時に、前記緊急呼情報記憶手段に記憶している情報を利用して緊急呼発信内線の呼び返し制御を行う緊急呼発信内線等着信制御手段とを備えることを特徴とする。
【００４４】
上記緊急呼情報記憶手段は、図１において、緊急呼情報メモリＭＥＭ１０１に対応する。また、緊急呼メモリの構成図の例を図３に示す。
【００４５】
また、トランク・Ｂチャネル選択手段、緊急呼ＳＥＴＵＰ信号編集手段、緊急呼情報記憶手段制御手段、及び緊急呼発信内線等着信制御手段は、中央処理装置ＣＰＵ００１に対して制御指示を与えるプログラムに対応しており、そのプログラムモジュール構成例は、図２に示す通りであり、対応関係の詳細を以下に記す。
【００４６】
トランク・Ｂチャネル選択手段は、トランク・Ｂチャネル選択手段（Ｔ１２２）に対応する。緊急呼情報記憶手段制御手段は、緊急呼情報メモリ生成手段（Ｔ１２６）と緊急呼情報メモリ更新手段（Ｔ３２１）と、タイマ制御モジュール（Ｍ５１１）と、緊急呼情報メモリ消去手段（Ｔ２２６，Ｔ４２１）と、緊急呼情報メモリ読み出し手段（Ｔ２２１）とに対応する。また、緊急呼番号識別手段（Ｔ１２４）を汎用手段として独立させた構成としているが、これは、緊急呼情報記憶手段制御手段の緊急呼情報メモリ生成条件の一つとして、緊急呼情報記憶手段制御手段の一要素に含めることができる。図４に緊急呼情報メモリの制御例を示す。
【００４７】
緊急呼ＳＥＴＵＰ信号編集手段は、ＳＥＴＵＰ信号編集手段（緊急呼特有部分）（Ｔ１２８）に対応する。緊急呼発信内線等着信制御手段は、緊急呼発信内線等着信制御手段（Ｔ２２５）に対応する。また、緊急呼番号照合手段（Ｔ２２３）を汎用手段として独立させた構成としているが、緊急呼発信内線等着信制御手段にて、公衆網から受信したＳＥＴＵＰ信号をもとに、緊急呼発信内線再呼び返しで緊急呼発信内線を呼び返すか、一般呼着信で緊急呼情報メモリ消去手段（Ｔ２２６）を介して緊急呼情報メモリを消去するかの判定を、同じく汎用手段として独立させた構成としている発番号情報要素抽出手段（Ｔ２２２）と連携して実行するものとして、緊急呼発信内線等着信制御手段の一要素に含めることができる。
【００４８】
上記構成を有するＥＰＢＸにおいて、内線電話機が緊急呼発信をすると、緊急呼情報記憶手段制御手段は、公衆網に送信するＳＥＴＵＰ信号の着番号を元に、それが緊急呼発信であることを識別する。緊急呼発信であることを識別すると、緊急呼情報記憶手段は、トランク・Ｂチャネル選択手段によって選択・捕捉したＢチャネルに関連付けて、緊急呼に関連する緊急呼番号と、呼状態値と、タイマ値と、緊急呼発信端子情報と、緊急呼発信端子番号と、緊急呼発信端子サブアドレス等を記憶する。それと略々同時に、緊急呼ＳＥＴＵＰ信号編集手段は、緊急呼情報記憶手段に記憶しているか、記憶しようとしている情報を利用して公衆網ＩＳＤＮに通知する呼設定（ＳＥＴＵＰ）信号のうち、主に発番号情報要素・発サブアドレス情報要素を編集制御する。ここで、トランク・Ｂチャネル選択手段は、選択・捕捉する方路・トランクを決定する際に、緊急呼情報記憶手段に記憶している情報を利用する。
【００４９】
緊急呼が生起されると、緊急呼情報記憶手段制御手段は、一般呼乃至緊急呼の発着信・緊急呼再呼び出し時も含めて公衆網ＩＳＤＮから通知される呼設定（ＳＥＴＵＰ）信号や、応答（ＣＯＮＮ）信号を受信時、又は、緊急呼情報記憶手段に記憶されているタイマ値を利用して、緊急呼情報記憶手段に記憶している情報を更新又は消去制御する。
【００５０】
緊急呼発信内線等着信制御手段は、公衆網ＩＳＤＮから通知される呼設定（ＳＥＴＵＰ）信号を受信時に、それが緊急呼再呼び出しであるか一般着信であるかを識別する。そして、緊急呼再呼び出しであれば緊急呼情報記憶手段に記憶している情報を利用して緊急呼発信内線の呼び返し制御を行なう。緊急呼再呼び出しでなければ、緊急呼情報記憶手段に記憶している情報を消去制御する。
【００５１】
そして、本発明によれば、緊急呼発信時に公衆網に通知した発番号を、緊急呼再呼び出し時に着番として受信するが、従来のように、これを数字分析して緊急呼発信内線を呼び返すのではなく、緊急呼発信時に予め緊急呼に関する情報を緊急呼情報記憶手段に記憶して呼び返すべき緊急呼発信内線を特定するため、緊急呼再呼び出し時に、実際に緊急呼発信を行なった内線を呼び返せる可能性が高くなり、緊急呼の安全性・信頼性が向上する。
【００５２】
また、緊急呼ＳＥＴＵＰ信号編集手段が公衆網ＩＳＤＮに通知するＳＥＴＵＰ信号を利用して公衆網側が緊急呼発信内線を一意に識別できる情報を編集制御するため、緊急呼発信と無関係な一般呼が、公衆網側で発信規制されてしまうことがなくなり、緊急呼を利用するシステムの制約が減少する。
【００５３】
前記ＥＰＢＸにおいて、前記緊急呼情報記憶手段が記憶する前記緊急呼に関する情報に、緊急呼番号、呼状態値、設定タイマ値、緊急呼発信端子情報、緊急呼発信端子番号、又は緊急呼発信端子サブアドレスを含めることができる。
【００５４】
前記ＥＰＢＸにおいて、前記緊急呼ＳＥＴＵＰ信号編集手段は、前記ＳＥＴＵＰ信号の発番号情報要素又は／及び発サブアドレス情報要素を利用して公衆網側が緊急呼発信内線を一意に識別できる情報を編集制御することができる。
【００５５】
前記ＥＰＢＸにおいて、前記ＥＰＢＸに収容される前記内線電話機を、アナログ電話機、ディジタル多機能電話機、ＩＳＤＮ端末、ＰＨＳ端末、又はＤｐチャネル共通線等の専用線を介して接続される対向交換機に収容される内線電話機とすることができる。
【００５６】
前記ＥＰＢＸにおいて、前記トランク・Ｂチャネル選択手段は、前記緊急呼情報記憶手段に緊急呼情報が記憶されているＢチャネルトランクを、一般呼発信、又は緊急呼再発信を含む緊急呼発信時の選択及び捕捉の対象から除外することができる。
【００５７】
前記ＥＰＢＸにおいて、前記トランク・Ｂチャネル選択手段は、前記緊急呼情報記憶手段に緊急呼情報が記憶されているＢチャネルトランクを、該Ｂチャネルトランクを使用した緊急呼発信内線以外の発信時の選択及び捕捉の対象から除外し、該緊急呼発信内線の発信時は、該Ｂチャネルトランクのみを選択及び捕捉することができる。
【００５８】
前記ＥＰＢＸにおいて、前記緊急呼ＳＥＴＵＰ信号編集手段は、前記ＳＥＴＵＰ信号の発サブアドレス情報要素に、前記内線電話機の内線番号をマッピングすることができる。これにより、緊急呼発信をする可能性がある内線一台一台に対して割り当てることができる十分な数だけダイヤルイン番号契約をしなくても済むため、緊急呼発信、緊急呼再呼び出しに適応したシステムの運用コストを大幅に削減することができる。
【００５９】
また、緊急呼発信時、公衆網に対して、発番だけでなく、内線番号等を発サブアドレスにマッピングして通知するため、ダイヤルイン番号契約をしなくてもよくなり、グローバル着信契約（公衆網からのＳＥＴＵＰ信号に着番を含まない）で、局線着信呼はすべて局線中継台を介して扱うような運用を行なっているシステムでも、緊急呼発信、緊急呼再呼び出しに適応することができ、緊急呼発信、緊急呼再呼び出しに適応できるシステムの運用形態を大幅に拡大することができる。
【００６０】
前記ＥＰＢＸにおいて、前記緊急呼ＳＥＴＵＰ信号編集手段は、前記ＳＥＴＵＰ信号の発サブアドレス情報要素に、前記緊急呼番号と前記内線電話機の内線番号とを組み合わせたものをマッピングすることができる。
【００６１】
前記ＥＰＢＸにおいて、前記緊急呼ＳＥＴＵＰ信号編集手段が前記ＳＥＴＵＰ信号の発サブアドレス情報要素に、前記内線番号、又は前記緊急呼番号と前記内線番号とを組み合わせたものをマッピングするのは、緊急呼発信の場合に限るようにすることができる。
【００６２】
前記ＥＰＢＸにおいて、前記緊急呼発信内線等着信制御手段が緊急呼発信内線を呼び返す際には、一般呼着信とは異なるパターンのリンギング信号又は着信呼び出し音を送出して着信させることができる。
【００６３】
前記ＥＰＢＸにおいて、前記緊急呼発信内線等着信制御手段は、緊急呼発信内線を呼び返す際には、各種転送系機能や内線代表着信機能を無効として緊急呼発信内線に着信させることができる。
【００６４】
前記ＥＰＢＸにおいて、前記緊急呼発信内線等着信制御手段は、呼び返すべき内線が使用中の状態の場合には、呼び返すことが可能となる状態になるまで一定時間待ち続けることができる。
【００６５】
前記ＥＰＢＸにおいて、前記緊急呼発信内線等着信制御手段は、呼び返すべき内線が通話中の状態で、一定時間待ち続けても呼び返すべき内線が呼び返すことができる状態とならない場合には、予め指定された緊急呼特定内線に転送接続することができる。
【００６６】
前記ＥＰＢＸにおいて、前記緊急呼発信内線等着信制御手段は、緊急呼発信内線を呼び返した際に一定時間不応答の場合には、予め指定された緊急呼特定内線に転送接続することができる。
【００６７】
前記ＥＰＢＸにおいて、前記緊急呼発信内線等着信制御手段は、緊急呼特定内線を呼び出す際に、前記緊急呼情報記憶手段に記憶している緊急呼発信内線の情報を表示することができる。
【００６８】
前記ＥＰＢＸにおいて、前記緊急呼発信内線等着信制御手段は、呼び返すべき内線が通話中の状態の場合には、割り込み接続することができる。
【００６９】
また、本発明は、ＥＰＢＸの制御方法であって、内線電話機とＩＳＤＮトランクとを収容するＥＰＢＸの制御方法であって、前記内線電話機から公衆網ＩＳＤＮトランクに緊急呼発信が行なわれた場合に、該緊急呼に関する情報を記憶し、該記憶されている情報を利用してＩＳＤＮのＢチャネルの選択及び捕捉を制御し、前記公衆網ＩＳＤＮに通知するＳＥＴＵＰ信号を利用して公衆網側が緊急呼発信内線を一意に識別できる情報を編集制御し、前記公衆網ＩＳＤＮから通知されるＳＥＴＵＰ信号もしくはＣＯＮＮ信号を受信した時、又は、前記記憶されているタイマ値を利用し、前記記憶されている情報を更新又は消去し、前記公衆網ＩＳＤＮから通知される前記ＳＥＴＵＰ信号を受信した時に、前記緊急呼情報記憶手段に記憶している情報を利用して緊急呼発信内線の呼び返し制御を行うことを特徴とする。
【００７０】
本発明によれば、上述のように、緊急呼発信時に公衆網に通知した発番号を、緊急呼再呼び出し時に着番として受信するが、従来のように、これを数字分析して緊急呼発信内線を呼び返すのではなく、緊急呼発信時に予め緊急呼に関する情報を記憶して呼び返すべき緊急呼発信内線を特定するため、緊急呼再呼び出し時に、実際に緊急呼発信を行なった内線を呼び返せる可能性が高くなり、緊急呼の安全性・信頼性が向上する。
【００７１】
また、公衆網ＩＳＤＮに通知するＳＥＴＵＰ信号を利用して公衆網側が緊急呼発信内線を一意に識別できる情報を編集制御するため、緊急呼発信と無関係な一般呼が、公衆網側で発信規制されてしまうことがなくなり、緊急呼を利用するシステムの制約が減少する。
【００７２】
前記ＥＰＢＸの制御方法において、前記記憶する前記緊急呼に関する情報に、緊急呼番号、呼状態値、設定タイマ値、緊急呼発信端子情報、緊急呼発信端子番号、又は緊急呼発信端子サブアドレスを含めることができる。
【００７３】
前記ＥＰＢＸの制御方法において、前記ＳＥＴＵＰ信号の発番号情報要素又は／及び発サブアドレス情報要素を利用して公衆網側が緊急呼発信内線を一意に識別できる情報を編集制御することができる。
【００７４】
前記ＥＰＢＸの制御方法において、前記ＥＰＢＸに収容される前記内線電話機は、アナログ電話機、ディジタル多機能電話機、ＩＳＤＮ端末、ＰＨＳ端末、又はＤｐチャネル共通線等の専用線を介して接続される対向交換機に収容される内線電話機とすることができる。
【００７５】
前記ＥＰＢＸの制御方法において、前記緊急呼情報が記憶されているＢチャネルトランクを、一般呼発信、又は緊急呼再発信を含む緊急呼発信時の選択及び捕捉の対象から除外することができる。
【００７６】
前記ＥＰＢＸの制御方法において、前記緊急呼情報が記憶されているＢチャネルトランクを、該Ｂチャネルトランクを使用した緊急呼発信内線以外の発信時の選択及び捕捉の対象から除外し、該緊急呼発信内線の発信時は、該Ｂチャネルトランクのみを選択及び捕捉することができる。
【００７７】
前記ＥＰＢＸの制御方法において、前記ＳＥＴＵＰ信号の発サブアドレス情報要素に、前記内線電話機の内線番号をマッピングすることができる。
【００７８】
前記ＥＰＢＸの制御方法において、前記ＳＥＴＵＰ信号の発サブアドレス情報要素に、前記緊急呼番号と前記内線電話機の内線番号とを組み合わせたものをマッピングすることができる。
【００７９】
前記ＥＰＢＸの制御方法において、前記ＳＥＴＵＰ信号の発サブアドレス情報要素に、前記内線番号、又は前記緊急呼番号と前記内線番号とを組み合わせたものをマッピングするのは、緊急呼発信の場合に限ることができる。
【００８０】
前記ＥＰＢＸの制御方法において、緊急呼発信内線を呼び返す際には、一般呼着信とは異なるパターンのリンギング信号又は着信呼び出し音を送出して着信させることができる。
【００８１】
前記ＥＰＢＸの制御方法において、緊急呼発信内線を呼び返す際には、各種転送系機能や内線代表着信機能を無効として緊急呼発信内線に着信させることができる。
【００８２】
前記ＥＰＢＸの制御方法において、呼び返すべき内線が使用中の状態の場合には、呼び返すことが可能となる状態になるまで一定時間待ち続けることができる。
【００８３】
前記ＥＰＢＸの制御方法において、呼び返すべき内線が通話中の状態で、一定時間待ち続けても呼び返すべき内線が呼び返すことができる状態とならない場合には、予め指定された緊急呼特定内線に転送接続することを特徴とする請求項１７乃至２８のいずれかに記載のＥＰＢＸの制御方法。
【００８４】
前記ＥＰＢＸの制御方法において、緊急呼発信内線を呼び返した際に一定時間不応答の場合には、予め指定された緊急呼特定内線に転送接続することができる。
【００８５】
前記ＥＰＢＸの制御方法において、前記緊急呼特定内線を呼び出す際に、前記記憶している緊急呼発信内線の情報を表示することができる。
【００８６】
前記ＥＰＢＸの制御方法において、呼び返すべき内線が通話中の状態の場合には、割り込み接続することができる。
【００８７】
また、本発明は、内線電話機とＩＳＤＮトランクとを収容するＥＰＢＸの制御プログラムであって、前記内線電話機から公衆網ＩＳＤＮトランクに緊急呼発信が行なわれた場合に、該緊急呼に関する情報を記憶するステップと、該記憶されている情報を利用してＩＳＤＮのＢチャネルの選択及び捕捉を制御するステップと、前記公衆網ＩＳＤＮに通知するＳＥＴＵＰ信号を利用して公衆網側が緊急呼発信内線を一意に識別できる情報を編集制御するステップと、前記公衆網ＩＳＤＮから通知されるＳＥＴＵＰ信号もしくはＣＯＮＮ信号を受信した時、又は、前記記憶されているタイマ値を利用し、前記記憶されている情報を更新又は消去するステップと、前記公衆網ＩＳＤＮから通知される前記ＳＥＴＵＰ信号を受信した時に、前記緊急呼情報記憶手段に記憶している情報を利用して緊急呼発信内線の呼び返し制御を行うステップとを備えることを特徴とする。
【００８８】
この制御プログラムを用いることにより、上述のように、緊急呼発信時に公衆網に通知した発番号を、緊急呼再呼び出し時に着番として受信するが、従来のように、これを数字分析して緊急呼発信内線を呼び返すのではなく、緊急呼発信時に予め緊急呼に関する情報を記憶して呼び返すべき緊急呼発信内線を特定するため、緊急呼再呼び出し時に、実際に緊急呼発信を行なった内線を呼び返せる可能性が高くなり、緊急呼の安全性・信頼性が向上する。
【００８９】
また、公衆網ＩＳＤＮに通知するＳＥＴＵＰ信号を利用して公衆網側が緊急呼発信内線を一意に識別できる情報を編集制御するため、緊急呼発信と無関係な一般呼が、公衆網側で発信規制されてしまうことがなくなり、緊急呼を利用するシステムの制約が減少する。
【００９０】
前記ＥＰＢＸの制御プログラムにおいて、前記記憶する前記緊急呼に関する情報に、緊急呼番号、呼状態値、設定タイマ値、緊急呼発信端子情報、緊急呼発信端子番号、又は緊急呼発信端子サブアドレスが含めることができる。
【００９１】
前記ＥＰＢＸの制御プログラムにおいて、前記ＳＥＴＵＰ信号の発番号情報要素又は／及び発サブアドレス情報要素を利用して公衆網側が緊急呼発信内線を一意に識別できる情報を編集制御するステップを備えることができる。
【００９２】
前記ＥＰＢＸの制御プログラムにおいて、前記ＥＰＢＸに収容される前記内線電話機を、アナログ電話機、ディジタル多機能電話機、ＩＳＤＮ端末、ＰＨＳ端末、又はＤｐチャネル共通線等の専用線を介して接続される対向交換機に収容される内線電話機とすることができる。
【００９３】
前記ＥＰＢＸの制御プログラムにおいて、前記緊急呼情報が記憶されているＢチャネルトランクを、一般呼発信、又は緊急呼再発信を含む緊急呼発信時の選択及び捕捉の対象から除外するステップを備えることができる。
【００９４】
前記ＥＰＢＸの制御プログラムにおいて、前記緊急呼情報が記憶されているＢチャネルトランクを、該Ｂチャネルトランクを使用した緊急呼発信内線以外の発信時の選択及び捕捉の対象から除外し、該緊急呼発信内線の発信時は、該Ｂチャネルトランクのみを選択及び捕捉するステップを備えることができる。
【００９５】
前記ＥＰＢＸの制御プログラムにおいて、前記ＳＥＴＵＰ信号の発サブアドレス情報要素に、前記内線電話機の内線番号をマッピングするステップを備えることができる。
【００９６】
前記ＥＰＢＸの制御プログラムにおいて、前記ＳＥＴＵＰ信号の発サブアドレス情報要素に、前記緊急呼番号と前記内線電話機の内線番号とを組み合わせたものをマッピングするステップを備えることができる。
【００９７】
前記ＥＰＢＸの制御プログラムにおいて、前記ＳＥＴＵＰ信号の発サブアドレス情報要素に、前記内線番号、又は前記緊急呼番号と前記内線番号とを組み合わせたものをマッピングするのは、緊急呼発信の場合に限ることができる。
【００９８】
前記ＥＰＢＸの制御プログラムにおいて、緊急呼発信内線を呼び返す際には、一般呼着信とは異なるパターンのリンギング信号又は着信呼び出し音を送出して着信させるステップを備えることができる。
【００９９】
前記ＥＰＢＸの制御プログラムにおいて、緊急呼発信内線を呼び返す際には、各種転送系機能や内線代表着信機能を無効として緊急呼発信内線に着信させるステップを備えることができる。
【０１００】
前記ＥＰＢＸの制御プログラムにおいて、呼び返すべき内線が使用中の状態の場合には、呼び返すことが可能となる状態になるまで一定時間待ち続けるステップを備えることができる。
【０１０１】
前記ＥＰＢＸの制御プログラムにおいて、呼び返すべき内線が通話中の状態で、一定時間待ち続けても呼び返すべき内線が呼び返すことができる状態とならない場合には、予め指定された緊急呼特定内線に転送接続するステップを備えることができる。
【０１０２】
前記ＥＰＢＸの制御プログラムにおいて、緊急呼発信内線を呼び返した際に一定時間不応答の場合には、予め指定された緊急呼特定内線に転送接続するステップを備えることができる。
【０１０３】
前記ＥＰＢＸの制御プログラムにおいて、前記緊急呼特定内線を呼び出す際に、前記記憶している緊急呼発信内線の情報を表示するステップを備えることができる。
【０１０４】
前記ＥＰＢＸの制御プログラムにおいて、呼び返すべき内線が通話中の状態の場合には、割り込み接続するステップを備えることができる。
【発明の効果】
【０１０５】
以上のように、本発明によれば、ＥＰＢＸに収容される内線が、ＩＳＤＮトランクを介して緊急呼発信した場合の、公衆網側からの再呼び出しに対して、緊急呼発信内線の呼び返しを可能とし、ＥＰＢＸに収容される内線がＩＳＤＮトランクを介して緊急呼発信し、当該内線からの先掛け復旧で、緊急呼受付台側から保持されている場合には、当該内線からのＩＳＤＮトランクへの再発信、及び当該内線からの（同一インタフェースグループの）ＩＳＤＮトランクへの（緊急呼以外の）発信が公衆網側で規制されるようにすること、当該内線以外からのＩＳＤＮトランク（同一Ｂチャネルを除く）への発信が公衆網側で規制されないようにすることなどを可能とするＥＰＢＸ等を提供することができる。
【発明を実施するための最良の形態】
【０１０６】
次に、本発明の実施の形態について図面を参照しながら詳細に説明する。
【０１０７】
図１に示すように、本発明の一実施の形態としてのＥＰＢＸは、内線電話機、ＩＮＳとのインタフェーストランクや、他ＰＢＸとのインタフェーストランクを収容する。ＣＰＵ００１は、呼の状態遷移制御等、ＥＰＢＸの交換動作等を制御する。ＭＥＭ００１は、ＣＰＵ００１によって読み書きされる呼の状態等を保存する記憶装置（メモリ）である。
【０１０８】
ＩＮＳの契約は、ダイヤルイン契約とする。ＥＰＢＸの局データ設定により、公衆網からＥＰＢＸの着信時に公衆網から着番号として通知されるダイヤルイン番号毎に着信する内線が決まっている（ＣＯＮＤ００１）。また、ＥＰＢＸから公衆網への発信時、契約しているダイヤルイン番号を発番として通知すると、公衆網はこれを透過し、相手加入者に通知することができる。発番を通知しない場合には、契約者回線番号が発番として扱われ、相手加入者に通知される。
【０１０９】
次に、ＥＰＢＸからの緊急呼発信（警察接続（１１０）、消防接続（１１９）及び海上保安機関接続（１１８））に関して、従来技術のみで構成した場合の動作について、説明する。
【０１１０】
例えば、ダイヤルイン番号が割り当てられていない内線２１００（ＳＴＡ１２１）から１１０緊急呼発信すると、発番号なしのＳＥＴＵＰ信号がＥＰＢＸより公衆網に対して送信される。ここで、仮に、ＢチャネルとしてＢ１チャネルを選択して発信するものとする。すると、警察機関の１１０受付台が呼ばれる。１１０受付台（ＣＯＮＳ１０１）が応答すると、内線２１００と１１０受付台とが通話できる。
【０１１１】
その後、１１０受付台から先掛け切断すると、一般呼の場合と同様に、呼が開放される。内線２１００から先掛け切断した場合は、緊急呼特有の動作となり、１１０受付台が切断するまで、公衆網側では呼が保留される。但し、ＥＰＢＸの内部の通話パスや、ＥＰＢＸとＩＮＳとのインタフェースであるＢチャネルは、一般呼と同様に開放される。その後、１１０受付台が切断操作をしても、公衆網側の仕様により、ＥＰＢＸには何ら通知されない。
【０１１２】
緊急呼が公衆網側で保留されている間に、ダイヤルイン番号が割り当てられていない内線２１０１（ＳＴＡ１２２）がＩＮＳに対して発信した場合には、その発信先は、緊急呼でも緊急呼以外の一般加入者でも、公衆網側の仕様により結果は同じとなる。内線２１０１には、ダイヤルイン番号が割り当てられていないので、発番号なしのＳＥＴＵＰ信号がＥＰＢＸより公衆網に対して送信される。このため、公衆網側では、先の緊急呼発信内線と区別することができない。
【０１１３】
捕捉トランクが先の緊急呼で用いられたＢ１チャネルの場合には、ＳＥＴＵＰ中の着番号は無視され、先の１１０受付台に着信する。捕捉トランクが先の緊急呼で用いられたＢ１チャネル以外の場合には、ビジーとなる（公衆網からＲＥＬＣＯＭＰ＃４４信号（理由表示：要求回線利用不可））が返信される。すなわち、公衆網側で内線２１００の緊急呼が保留されている間、無関係な内線２１０１のＩＮＳ発信が規制されたり、１１０受付台に強制接続されてしまうことになる。これは、本発明が解決したい課題の一つである。また、緊急呼が公衆網側で保留されている間、内線２１００の緊急呼再発信も、Ｂ１チャネルを再度捕捉しないと公衆網でビジー扱いとなる。
【０１１４】
次に、ＥＰＢＸからの緊急呼再呼び出しに関して、従来技術のみで構成した場合の動作について、説明する。
【０１１５】
内線２１００から仮にＢ１チャネルを捕捉した１１０緊急呼が公衆網側で保留されている間に、１１０受付台が再呼び出し操作をすると、公衆網からＥＰＢＸに対して、発番号が１１０で、着番号が１１１１−１０００のＳＥＴＵＰ信号が通知される。ここで、１１１１−１０００は、加入者回線番号から市外局番を除いた番号である。従来技術では、着番号を数字分析して着信先を決定するので、代表内線（ＳＴＡ１００）に着信することになる。
【０１１６】
このとき、特許文献２に記載されているような、緊急呼発信内線を予約状態にしておく方式を適用したとしても、公衆網からの着番号を数字分析して着信先内線を決定する限り、代表内線に着信してしまい、内線２１００を呼び返すことはできない。また、緊急呼が公衆網側で保留されている間も、ＩＮＳの当該Ｂチャネルは解放されており、また、その後の受付台切断操作は公衆網からＥＰＢＸには通知されないので、Ｂチャネルの使用状態からは、公衆網側で緊急呼を保留状態にしているかどうかは判定できないため、長時間に渡って緊急呼発信内線が予約状態のままとなり、使えない状態が長時間に渡ってしまう課題が残る。これらも、本発明が解決したい課題である。
【０１１７】
図２は、図１に示すＣＰＵに格納されるプログラムのうち、本発明で追加されるプログラムのブロック図を示す。
【０１１８】
同図において、発信制御モジュール（Ｍ１１１）は、ＥＰＢＸからの発信制御を行う。ここでは、本発明に関連が深いＩＳＤＮに発信する部分を抜き出して記載している。
【０１１９】
数字分析手段（Ｔ１２１）は、内線のダイヤル数字、又は対向ＰＢＸからの着信時に受け取る受信数字等を分析し、発信する方路（ルート）を決定する。この手段自体は、緊急呼に限った機能ではなく、本発明で追加される要素ではない。発信する方路がＩＳＤＮルートの場合には、トランク・Ｂチャネル選択手段（Ｔ１２２）により、発信で使用するＩＳＤＮのＢチャネルを選択・捕捉する。
【０１２０】
図５のフローチャートに示すように、従来技術と異なるのは、緊急呼メモリが生成されているＢチャネルは、トランク使用中状態時と同様に、選択・捕捉させないという点である。尚、本発明の実施の別の形態として、緊急呼発信した内線の緊急呼再発信は、当該Ｂチャネルを優先的に選択させる方法もある。
【０１２１】
着番号決定手段（Ｔ１２３）は、ＩＳＤＮに送信するＳＥＴＵＰ信号の着番号を決定する。この手段自体も、緊急呼に限った機能ではなく、本発明で追加される要素ではない。
【０１２２】
緊急呼番号識別手段（Ｔ１２４）は、図６に示すように、緊急呼への発信番号か否かを判定する。緊急呼番号識別手段（Ｔ１２４）により、緊急呼発信であると判定された場合には、緊急呼情報メモリ生成手段（Ｔ１２６）により、緊急呼情報メモリを生成（メモリエリア確保・インデックス生成及び、格納情報セット）する。緊急呼情報メモリの構成図例を図３に、緊急呼情報メモリの制御例を図４に示す。
【０１２３】
次に、緊急呼発信の場合、ＳＥＴＵＰ信号編集手段（緊急呼特有部分）（Ｔ１２８）により、ＳＥＴＵＰ信号（緊急呼特有部分）の編集をする。図７にフローチャートを示すように、発サブアドレスに、緊急呼発信した内線を識別できる番号情報として内線番号等をマッピングする。
【０１２４】
呼状態遷移モジュール１（Ｍ３１１）は、呼の状態遷移に応じて、緊急呼情報メモリ更新手段（Ｔ３２１）により、緊急呼状態メモリの状態値やタイマ値を更新する。呼状態遷移モジュール２（Ｍ４１１）は、呼の状態遷移のうち、緊急呼受付台からの先掛け切断時及び、緊急呼受付台が応答する前の緊急呼発信内線切断（途中放棄）時、緊急呼情報メモリ消去手段（Ｔ４２１）により、緊急呼状態メモリの消去（格納情報消去及び、メモリエリア解放）を行なう。
【０１２５】
着信制御モジュール（Ｍ２１１）は、ＥＰＢＸへの着信制御を行う。ここでは、本発明に関連が深いＩＳＤＮから着信する部分を抜き出して記載している。緊急呼情報メモリ読み出し手段（Ｔ２２１）は、着信したＢチャネルトランクの識別情報をキーに、緊急呼情報メモリを読み出す。また、発番号情報要素抽出手段（Ｔ２２２）は、公衆網から受信したＳＥＴＵＰ信号から発番号を抽出する。緊急呼番号照合手段（Ｔ２２３）は、緊急呼メモリから読み出した緊急呼番号と、ＳＥＴＵＰ信号から抽出した発番号を照合する。照合の結果一致していた場合には、緊急呼の再呼び出しであると判断し、緊急呼発信内線等着信制御手段（Ｔ２２５）によって、緊急呼発信内線を呼び返す。照合の結果一致していない場合には、緊急呼の再呼び出しではなく、公衆網側にて緊急呼の保留が解除されたことは明らかであるため、緊急呼情報メモリ消去手段（Ｔ２２６）により、緊急呼状態メモリの消去を行ない、一般呼着信する。
【０１２６】
タイマ制御モジュール（Ｍ５１１）は、緊急呼情報メモリタイマ制御手段（Ｔ５２１）により、タイマ値が設定されている緊急呼情報メモリが存在すれば、そのタイマ値の減算（カウントダウン）制御及び０判定（タイムアウト判定）を行なう。タイムアウトの場合には、当該緊急呼情報メモリの状態値に応じた処理を行なう。
【０１２７】
以上詳細に本発明にかかるＥＰＢＸの実施の形態の構成について述べたが、図１のシステム構成は、当業者にとってよく知られており、また本発明とは直接関係しないので、その詳細な構成は省略する。
【０１２８】
次に、図１の本発明の一実施の形態としてのシステム構成での動作を図１１乃至図１７のシーケンス図を参照しながら説明する。尚、図１１乃至図１７において、緊急呼情報メモリの下線を引いた要素は、セット／更新される要素を表す。
【０１２９】
図１１は、ダイヤルイン番号が割り当てられている内線２０００（ＳＴＡ１１１）が１１０緊急呼発信をしてから、切断するまでのシーケンス図である。
【０１３０】
内線２０００が１１０発信をする（Ｓ１０１）と、ＳＥＴＵＰ信号を公衆網に対して送信する。この際のＳＥＴＵＰ信号の着番号は１１０であるから、図６に示すフローチャートの通り、緊急呼番号識別手段（Ｔ１２４）によって、緊急呼発信であることを認識する。尚、１１０の前に、１８６（発信者番号通知）や１８４（発信者番号非通知）の番号が付加されている場合も同様に緊急呼発信であるとみなす。
【０１３１】
緊急呼発信の場合、緊急呼情報メモリ生成手段（Ｔ１２６）により、緊急呼情報メモリを生成する。緊急呼情報メモリ生成手段は、トランク・Ｂチャネル選択手段（Ｔ１２２）で選択されたＢチャネルで検索できるようにメモリエリアを確保し、その内容としては、緊急呼番号として“１１０”、呼状態値として「緊急呼発信」、タイマ値として０、緊急呼発信端子番号として緊急呼発信内線２０００の収容位置、緊急呼発信端子番号として“２０００”、緊急呼端子サブアドレスとしてＮＵＬＬをセットする。
【０１３２】
但し、着番号の“１１０”の前に“１８６”や“１８４”が付加されている場合も、緊急呼情報メモリの緊急呼番号としては“１１０”をセットする。このメモリの状態を、図３の設定値例１にも示す。図７に示すフローチャートの通り、ＳＥＴＵＰ信号編集手段（緊急呼特有部分）（Ｔ１２８）は、Ｔ１２８−０１の結果、Ｔ１２８−０３のステップを選択することにより、公衆網に対して送信するＳＥＴＵＰ信号の発番号には、内線２０００に割り当てられている０３−１１１１−２０００をマッピングし（これは、予め局データで関連付けを登録しているものであり、従来技術でも実施している）、緊急呼に限った情報として、発サブアドレスには内線番号２０００をマッピングする。
【０１３３】
ここで、ダイヤルイン番号０３−１１１１−２０００と内線番号２０００が一対一に関連付けられているのであれば、発サブアドレスは必須ではないが、同一ダイヤルイン番号に対して複数の着信先が存在するのであれば（例えば、２０００が代表番号であり、実際には内線３０００，３００１，３００２のいずれかに着信するようにしている場合等）、発信した内線を一意に決定するために発サブアドレスは必須となる。緊急呼の場合、これら発番号、発サブアドレスは公衆網側で保持される。
【０１３４】
尚、公衆網と緊急呼受付台の間のインタフェースは公開されていない独自手順であるが（特許文献５に記載のような技術が用いられていると推測される）、緊急呼受付台に通知される発番号（緊急呼受付台操作者が知り得る番号）はダイヤルイン番号ではなく、加入者回線番号であり、公衆網側で保持する発番号とは異なる。
【０１３５】
内線番号を発番号ではなく発サブアドレスにマッピングする理由は、公衆網は契約している加入者回線番号，パイロット番号，ダイヤルイン追加番号を正しい番号とし、それ以外の番号を発番号とした場合には、状態表示（理由表示＃１００：情報要素の内容が無効）を返し、契約者回線番号又はパイロット番号を発番号として扱うため、緊急呼発信内線を一意に識別できなくなるからである。また、緊急呼発信の場合に限って、内線番号を発サブアドレスにマッピングする理由は、一般呼発信の場合、相手が携帯電話等の場合には、受信した発サブアドレスを表示可能な端末が存在し、このため、内線番号を公開していない場合でも、相手に内線番号が知られてしまう可能性があるからである。
【０１３６】
その後、図１１において、１１０受付台（ＣＯＮＳ１０１）が応答する（Ｓ１０４）と、公衆網からＣＯＮＮ信号が送信されるが、これをＥＰＢＸが受信すると、緊急呼情報メモリ更新手段（Ｔ３２１）により、先に生成した呼状態メモリの呼状態値を「緊急呼通話中」とする（Ｓ１０５）。
【０１３７】
その後、１１０受付台から先掛け切断する（Ｓ１０６）と、公衆網からＤＩＳＣ信号が送信されるが、これをＥＰＢＸが受信すると、図２の緊急呼情報メモリ消去手段（Ｔ４２１）により、先に生成した呼状態メモリを消去する（Ｓ１０７）。
【０１３８】
内線２０００から先掛け切断する（Ｓ１０９）と、ＥＰＢＸからＤＩＳＣ信号を送信するが、その際は、公衆網側で緊急呼が保留される可能性があるので、緊急呼情報メモリ更新手段（図２のＴ３２１）により、先に生成した緊急呼情報メモリの呼状態値を「緊急呼再呼び出し待ち」・タイマ値を４分とする（Ｓ１０９）。ここで、タイマ値の４分という値は、一意に決定される値ではない。公衆網側で緊急呼が最大で何分保留されるかを運用状態に合わせて決定し、予め局データ設定等の形式で指定しておくべき値である。
【０１３９】
尚、緊急呼発信（Ｓ１０１）後、緊急呼受付台の応答（Ｓ１０４）を待たずに、内線２０００が切断した場合には、公衆網側の仕様により、公衆網側で緊急呼が保留されることはないから、緊急呼情報メモリ消去手段（図２のＴ４２１）により、先に生成した呼状態メモリを消去する。内線２０００の切断時、緊急呼情報メモリの呼状態値を「緊急呼再呼び出し待ち」・タイマ値を４分とする（Ｓ１０９）か、呼状態メモリを消去するかは、緊急呼情報メモリの呼状態値が「緊急呼通話中」であるか「緊急呼発信」であるかをチェックすれば容易に判断できる。Ｓ１０５のステップは、この判断を容易にするために必要である。
【０１４０】
次に、Ｓ１１１のステップを経て、公衆網側が緊急呼を保留している状態につて説明する。ここでは、仮に、緊急呼発信に使用されたＢチャネルがＢ１チャネルであったとする。
【０１４１】
緊急呼発信内線が、ＩＮＳに発信する場合には、図５に示すフローチャートの通り、トランク・Ｂチャネル選択手段（Ｔ１２２）によって、Ｂ１チャネル以外のＢチャネルを選択する。緊急呼再発信の場合には、発番号・発サブアドレスともに、公衆網側で保留されている緊急呼の情報と一致するため、公衆網側の仕様で、公衆網側でビジーとなる。すなわち、緊急呼の再呼び出しに備えて、発信が規制される。一般呼発信の場合には、発サブアドレスに内線番号をマッピングしなければ、発サブアドレスが、公衆網側で保留されている緊急呼の情報と不一致となるから、公衆網側の仕様で、通常通り発信接続が行なわれる。但し、ダイヤルイン番号０３−１１１１−２０００と内線番号２０００が一対一に関連付けられていて、発サブアドレスが必須ではない場合で、発サブアドレスに内線番号をマッピングせずに緊急呼発信していたのであれば、発番号・発サブアドレスともに、公衆網側で保留されている緊急呼の情報と一致するため、公衆網側の仕様で、公衆網側でビジーとなる。
【０１４２】
どの運用がよいか、すなわち、網側で緊急呼保留されている緊急呼発信内線が、ＩＮＳに一般呼発信した場合に、ビジーとなった方がよいかならない方がよいかは、ＥＰＢＸの設置局の判断により選択する。但し、説明を簡単にするために、以降は、ＩＮＳへの発信において、緊急呼発信時は、発サブアドレスに内線番号を必ずマッピングし、一般呼発信時は、発サブアドレスに内線番号をマッピングしないものとして説明する。いずれにしても、公衆網側で緊急呼が保留された後、緊急呼受付台の切断操作で保留が解除されても、公衆網側の仕様により、ユーザ側であるＥＰＢＸには何ら通知されない。但し、本発明では、緊急呼発信内線を予約状態にすることはないから、緊急呼発信に使用したＩＮＳのＢチャネルが緊急呼再呼び出し待ち状態中でも、当該緊急呼発信内線からの内線発信及び外線発信（ＩＮＳ他Ｂチャネルを捕捉した発信を含む）は可能である。
【０１４３】
公衆網側で緊急呼が保留されていれば、公衆網側でビジーとなる可能性はあるが、公衆網側での緊急呼保留が解除された後は、公衆網側ではビジーとならず、通常通り発信接続を行うことができる（但し、当然ながら相手加入者が話中であればビジーとなる）。すなわち、構内交換機の機能で緊急呼発信内線を一定時間予約する方式に比べて、本方式の方が緊急呼発信内線が使用できなくなる時間を大幅に削減できる。
【０１４４】
緊急呼発信内線以外の内線がＩＮＳに発信する場合も、図５に示すフローチャートの通り、トランク・Ｂチャネル選択手段（Ｔ１２２）によって、Ｂ１チャネル以外のＢチャネルを選択する。この場合は、発番号・発サブアドレスのいずれか又は両方が、公衆網側で保留されている緊急呼の情報と一致しないから、公衆網側の仕様で、通常通り発信接続が行なわれる。
【０１４５】
Ｂ１チャネルに関連付けられていた緊急呼情報メモリの再呼び出し待ちタイマが満了すると、図１０に示すフローチャートの通り、緊急呼情報メモリタイマ制御手段（Ｔ５２１）により、緊急呼メモリ消去手段が起動され、Ｂ１チャネルに関連付けて確保されていた緊急呼情報メモリは消去され、以降、Ｂ１チャネルを用いての発信が可能となる。この再呼び出し待ちタイマが必要な理由は、当該ＩＳＤＮトランクが発信専用のトランクの場合、当該トランクを永遠に発信で捕捉できなくなることを防ぐためである。尚、公衆網側の仕様により、ＩＮＳ契約が発信専用でも、（着信イメージである）緊急呼再呼び出しは行なわれ得る。
【０１４６】
また、Ｂ１チャネルに一般呼の着信があった場合も、緊急呼情報メモリ消去手段（図２のＴ２２６）により、Ｂ１チャネルに関連付けて確保されていた緊急呼情報メモリは消去され、以降、Ｂ１チャネルを発信及び一般呼着信で用いることが可能となる。これは、当該ＩＳＤＮトランクが発着可能なトランクの場合、当該Ｂチャネルに一般呼の着信があった時点で、網側の緊急呼の保留が解除されたことが明らかであるから、緊急呼情報メモリの再呼び出し待ちタイマの満了を待たずに、当該Ｂチャネルを捕捉可能とするためのものである。
【０１４７】
図１２は、内線２０００に対して１１０緊急呼再呼び出しが行なわれてから、内線２０００が応答するまでのシーケンス図である。
【０１４８】
１１０受付台が再呼び出し操作を行なうと、公衆網側からＳＥＴＵＰ信号が通知される（Ｓ１２２）。このＳＥＴＵＰ信号の発番号には１１０が、着番号には緊急呼発信時に発番号で指定したダイヤルイン番号から市外局番を除いた番号である１１１１−２０００が、着サブアドレスには、緊急呼発信時に発サブアドレス番号で指定した内線番号２０００がマッピングされている。
【０１４９】
図２の緊急呼情報メモリ読み出し手段（Ｔ２２１）により緊急呼情報メモリを読み出し、発番号情報要素抽出手段（Ｔ２２２）により発番号を抽出する。緊急呼情報メモリに格納されている緊急呼番号と、抽出した発番号を、図８に示すフローチャートの通り、緊急呼呼番号照合手段（Ｔ２２３）によって照合した結果一致すると、緊急呼の再呼び出しであるとみなす。緊急呼の再呼び出しであるとみなすと、図９に示すフローチャートの通り、緊急呼発信内線等着信制御手段（Ｔ２２５）は、Ｔ２２５−０１の結果、Ｔ２２５−０３のステップを選択することにより、緊急呼情報メモリに格納されている緊急呼発信端子情報を元に緊急呼発信内線を呼び返す。Ｔ２２５−０９のステップにて、緊急呼情報メモリ更新手段（Ｔ３２１）によって、Ｂ１チャネルに関連付けて確保されていた緊急呼情報メモリの呼状態値を「緊急呼再呼び出し」に更新する（図１２のＳ１２４）。
【０１５０】
その後、緊急呼発信内線が応答すると、公衆網に対してＣＯＮＮ信号を送信するとともに、緊急呼情報メモリ更新手段（図２のＴ３２１）によって、Ｂ１チャネルに関連付けて確保されていた緊急呼情報メモリの呼状態値を「緊急呼通話中」に更新する（図１２のＳ１２５）。この時の緊急呼情報メモリの内容は、図１１のＳ１０５を実行した後の状態と同じである。
【０１５１】
以上が、本発明の典型的な動作例である。以降は、緊急呼発信内線の種類に応じて、緊急呼発信時及び緊急呼再呼び出し時にどのように動作するかを説明する。
【０１５２】
図１３は、緊急呼発信内線が、ダイヤルイン番号が割り当てられていない内線２１００（ＳＴＡ１２１）の場合の動作例である。
【０１５３】
内線２１００が１１９緊急呼発信すると、図７に示すフローチャートの通り、ＳＥＴＵＰ信号編集手段（緊急呼特有部分）（Ｔ１２８）は、Ｔ１２８−０１の結果、Ｔ１２８−０３のステップを選択することにより、ダイヤルイン番号が割り当てられていないため、公衆網に送信するＳＥＴＵＰ信号の発番号はなしとなり、発サブアドレスには、内線番号２１００をマッピングする（図１３のＳ２０１）。公衆網で保持する情報は、発番号が加入者回線番号である０３−１１１１−１０００、発サブアドレスは２１００となる。
【０１５４】
緊急呼発信に使用したＢチャネルに対して割り当てる緊急呼情報メモリには、緊急呼番号として“１１９”、呼状態値として「緊急呼発信」、タイマ値として０、緊急呼発信端子番号として緊急呼発信内線２１００の収容位置、緊急呼発信端子番号として“２１００”、緊急呼端子サブアドレスとしてＮＵＬＬをセットする。このメモリの状態を、図３の設定値例２にも示す。
【０１５５】
ここで、本発明によって発サブアドレスに内線番号をマッピングしているが、本発明を適用しなければ発サブアドレスはマッピングされないから、緊急呼を公衆網側で保留している間、ダイヤルイン番号が割り当てられていないいかなる内線が発信した場合も、緊急呼発信に使用したＢチャネルを捕捉して発信した場合には、常に１１９受付台（ＣＯＮＳ２０１及びＣＯＮＳ２０２のいずれか又は両方）に接続され、緊急呼発信に使用したＢチャネル以外のＢチャネルを捕捉して発信した場合は、常に網側にてビジーとなり、一切のＩＮＳ発信を行うことができなくなる。
【０１５６】
本発明を適用すれば、緊急呼発信内線以外の内線が発信した場合は、少なくとも発サブアドレスは網側で保持されているものとは異なり、また、緊急呼発信で使用したＢチャネルは捕捉しないから、通常通りのＩＮＳ発信を行うことができる。
【０１５７】
その後、緊急呼再呼び出しが行なわれると、公衆網から受信するＳＥＴＵＰ信号の発番号には１１９が、着番号には加入者回線番号から市外局番を除いた番号である１１１１−１０００が、着サブアドレスには、緊急呼発信時に発サブアドレス番号で指定した内線番号２１００がマッピングされている。ここで、受信した発番号１１９と当該Ｂチャネルに対して割り当てられている緊急呼情報メモリに格納されている緊急番号１１９が一致するため、このＳＥＴＵＰ信号は、緊急呼再呼び出しであることが分かり、図９に示すフローチャートの通り、緊急呼発信内線等着信制御手段（Ｔ２２５）は、Ｔ２２５−０１の結果Ｔ２２５−０３のステップを選択することにより、緊急呼情報メモリの情報を元に、緊急呼発信内線２１００を呼び返す（図１３のＳ２２４）。
【０１５８】
図１４は、緊急呼発信内線が、ダイヤルイン番号が割り当てられているＩＳＤＮ端末２２０１（ＳＴＡ１３１）の場合の動作例を示す。
【０１５９】
ＩＳＤＮ端末２２０１が１１８緊急呼発信すると、ＩＳＤＮ端末からＥＰＢＸにＳＥＴＵＰ信号が通知される。このＳＥＴＵＰ信号には、着番号としてＩＳＤＮ端末の自アドレス情報２２０１がマッピングされている。図７に示すフローチャートの通り、ＳＥＴＵＰ信号編集手段（緊急呼特有部分）（Ｔ１２８）は、Ｔ１２８−０１の結果、Ｔ１２８−０４のステップを選択し、Ｔ１２８−０４の結果、Ｔ１２８−０６を選択することにより、この自アドレス情報２２０１には、ダイヤルイン番号が割り当てられているため、公衆網に送信するＳＥＴＵＰ信号の発番号はダイヤルイン番号である０３−１１１１−２２０１が、発サブアドレスには内線番号２２０１をマッピングする（Ｓ３０１）。公衆網で保持する情報は、発番号がダイヤルイン番号である０３−１１１１−２２０１、発サブアドレスは２２０１となる。
【０１６０】
緊急呼発信に使用したＢチャネルに対して割り当てる緊急呼情報メモリには、緊急呼番号として“１１８”、呼状態値として「緊急呼発信」、タイマ値として０、緊急呼発信端子番号として緊急呼発信内線（ＩＳＤＮ端末）が収容されているＩＬＣ２２００（ＩＬＣ０３１）の収容位置、緊急呼発信端子番号として“２２０１”、緊急呼端子サブアドレスとしてＮＵＬＬをセットする。このメモリの状態を、図３の設定値例３にも示す。
【０１６１】
その後、緊急呼再呼び出しが行なわれると、公衆網から受信するＳＥＴＵＰ信号の発番号には１１８が、着番号にはダイヤルイン番号から市外局番を除いた番号である１１１１−２２０１が、着サブアドレスには緊急呼発信時に発サブアドレス番号で指定した内線番号２２０１がマッピングされている（Ｓ３２２）。受信した発番号１１８と当該Ｂチャネルに対して割り当てられている緊急呼情報メモリに格納されている緊急番号１１８が一致するため、このＳＥＴＵＰ信号は、緊急呼再呼び出しであることが分かり、図９に示すフローチャートの通り、緊急呼発信内線等着信制御手段（Ｔ２２５）は、Ｔ２２５−０１の結果Ｔ２２５−０４のステップを選択し、Ｔ２２５−０４の結果Ｔ２２５−０６のステップを選択することにより、緊急呼情報メモリの情報を元に、緊急呼発信内線２２０１を呼び返す（図１４のＳ３２３〜Ｓ３２４）。このとき、緊急呼情報メモリの緊急呼発信端子情報は、ＳＥＴＵＰ信号を送信するＩＬＣを特定するため、緊急呼端子番号は、ＳＥＴＵＰ信号の着番号に緊急呼発信内線の内線番号（＝自アドレス情報）をマッピングするために使用する。
【０１６２】
図１５は、緊急呼発信内線が、ダイヤルイン番号が割り当てられていないＩＳＤＮ端末２２０２（ＳＴＡ１３２）の場合の動作例である。
【０１６３】
ＩＳＤＮ端末２２０２が１１８緊急呼発信すると、ＩＳＤＮ端末からＥＰＢＸにＳＥＴＵＰ信号が通知される。このＳＥＴＵＰ信号には、発番号としてＩＳＤＮ端末の自アドレス２２０２がマッピングされている。図９のＳＥＴＵＰ信号編集手段（緊急呼特有部分）（Ｔ１２８）は、Ｔ１２８−０１の結果、Ｔ１２８−０４のステップを選択し、Ｔ１２８−０４の結果、Ｔ１２８−０６のステップを選択することにより、この自アドレス情報２２０２にはダイヤルイン番号が割り当てられていないから、公衆網に送信するＳＥＴＵＰ信号の発番号はなし、発サブアドレスには内線番号（＝自アドレス情報）２２０２をマッピングする（図１５のＳ３３１）。公衆網で保持する情報は、発番号が契約者回線番号である０３−１１１１−１０００、発サブアドレスは２２０２となる。
【０１６４】
緊急呼発信に使用したＢチャネルに対して割り当てる緊急呼情報メモリには、緊急呼番号として“１１８”、呼状態値として「緊急呼発信」、タイマ値として０、緊急呼発信端子番号として緊急呼発信内線（ＩＳＤＮ端末）が収容されているＩＬＣ２２００（ＩＬＣ０３１）の収容位置、緊急呼発信端子番号として“２２０２”、緊急呼端子サブアドレスとしてＮＵＬＬをセットする。
【０１６５】
その後、緊急呼再呼び出しが行なわれると、公衆網から受信するＳＥＴＵＰ信号の発番号には１１８が、着番号には契約者回線番号から市外局番を除いた番号である１１１１−１０００が、着サブアドレスには緊急呼発信時に発サブアドレス番号で指定した内線番号２２０２がマッピングされている（Ｓ３４２）。受信した発番号１１８と当該Ｂチャネルに対して割り当てられている緊急呼情報メモリに格納されている緊急番号１１８が一致するため、このＳＥＴＵＰ信号は緊急呼再呼び出しであることが分かり、図１５に示すフローチャートの通り、緊急呼発信内線等着信制御手段（図９のＴ２２５）は、Ｔ２２５−０１の結果Ｔ２２５−０４のステップを選択し、Ｔ２２５−０４の結果Ｔ２２５−０６のステップを選択することにより、緊急呼情報メモリの情報を元に、緊急呼発信内線２２０２を呼び返す（図１５のＳ３４３〜Ｓ３４４）。このとき、緊急呼情報メモリの緊急呼発信端子情報は、ＳＥＴＵＰ信号を送信するＩＬＣを特定するため、緊急呼端子番号は、ＳＥＴＵＰ信号の着番号に緊急呼発信内線の内線番号（＝自アドレス情報）をマッピングするために使用する。
【０１６６】
緊急呼発信内線がＰＨＳ端末（ＰＳ：無線移動局）の場合の動作例について、詳細説明は省略するが、ＥＰＢＸからみると、ＣＳ（無線基地局）の先にＰＳが接続されているイメージであり、ＥＰＢＸとＣＳの間のインタフェースはＩＳＤＮと同様であるため、緊急呼発信内線がＩＳＤＮ端末の場合と同様の動作となる。
【０１６７】
図１６は、緊急呼発信内線が、ＩＳＤＮ端末自身にはダイヤルイン番号が割り当てられていないが、同一ＩＬＣ２３００（ＩＬＣ０４１）に接続されているＩＳＤＮ端末共通のダイヤルイン番号が割り当てられている、自アドレスがなし、サブアドレスが９００のＩＳＤＮ端末（以下、ＩＳＤＮ端末＃９００と略す）（図１のＳＴＡ１４１）の場合の動作例である。
【０１６８】
ＩＳＤＮ端末＃９００が１１８緊急呼発信すると、ＩＳＤＮ端末からＥＰＢＸにＳＥＴＵＰ信号が通知される。このＳＥＴＵＰ信号には、発番号はなし、発サブアドレスとしてＩＳＤＮ端末のサブアドレス９００がマッピングされている。ＳＥＴＵＰ信号編集手段（緊急呼特有部分）（図７のＴ１２８）は、Ｔ１２８−０１の結果、Ｔ１２８−０４のステップを選択し、Ｔ１２８−０４の結果、Ｔ１２８−０７のステップを選択することにより、このＩＳＤＮ端末＃９００には、自アドレスが存在せず、個別にはダイヤルイン番号が割り当てられていないが、収容されるＩＬＣの内線番号２３００にはダイヤルイン番号が割り当てられているため、公衆網に送信するＳＥＴＵＰ信号の発番号は、そのダイヤルイン番号である０３−１１１１−２３００、発サブアドレスにはサブアドレス９００をマッピングする（図１６のＳ４０１）。公衆網で保持する情報は、発番号がダイヤルイン番号である０３−１１１１−２３００、発サブアドレスは９００となる。
【０１６９】
緊急呼発信に使用したＢチャネルに対して割り当てる緊急呼情報メモリには、緊急呼番号として“１１８”、呼状態値として「緊急呼発信」、タイマ値として０、緊急呼発信端子番号として緊急呼発信内線（ＩＳＤＮ端末）が収容されているＩＬＣ２３００の収容位置、緊急呼発信端子番号としてＮＵＬＬ、緊急呼端子サブアドレスとして“９００をセットする。このメモリの状態を、図３の設定値例４にも示す。
【０１７０】
その後、緊急呼再呼び出しが行なわれると、公衆網から受信するＳＥＴＵＰ信号の発番号には１１８が、着番号にはダイヤルイン番号から市外局番を除いた番号である１１１１−２３００が、着サブアドレスには緊急呼発信時に発サブアドレス番号で指定したサブアドレス９００がマッピングされている（図１６のＳ４２２）。受信した発番号１１８と当該Ｂチャネルに対して割り当てられている緊急呼情報メモリに格納されている緊急番号１１８が一致するため、このＳＥＴＵＰ信号は、緊急呼再呼び出しであることが分かり、図９に示すフローチャートの通り、緊急呼発信内線等着信制御手段（Ｔ２２５）は、Ｔ２２５−０１の結果Ｔ２２５−０４のステップを選択し、Ｔ２２５−０４の結果Ｔ２２５−０７のステップを選択することにより、緊急呼情報メモリの情報を元に、緊急呼発信内線＃９００を呼び返す（図１６のＳ４２３〜Ｓ４２４）。
【０１７１】
このとき、緊急呼情報メモリの緊急呼発信端子情報は、ＳＥＴＵＰ信号を送信するＩＬＣを特定するため、緊急呼端子サブアドレスは、ＳＥＴＵＰ信号の着サブアドレスに緊急呼発信内線のサブアドレスをマッピングするために使用する。
【０１７２】
図１７は、緊急呼発信内線が、図１に示す選別番号８３０の対向ＰＢＸ（ＰＢＸ００２）の内線２９９９（ＳＴＡ１５１）であり、Ｄｐチャネル共通線を介して本発明が適用されているＥＰＢＸ（ＥＰＢＸ００１）に接続されている場合の動作例である。
【０１７３】
内線２９９９が１１０緊急呼発信すると、対向ＰＢＸからＥＰＢＸにＳＥＴＵＰ信号が通知される。このＳＥＴＵＰ信号には、発番号として、選別番号＋内線番号である８３０−２９９９がマッピングされている。図７のＳＥＴＵＰ信号編集手段（緊急呼特有部分）（Ｔ１２８）は、Ｔ１２８−０１の結果、Ｔ１２８−０８のステップを選択することにより、ダイヤルイン番号が割り当てられていないため、公衆網に送信するＳＥＴＵＰ信号の発番号はなし、発サブアドレスには、対向ＰＢＸから通知された発番号８３０−２９９９をマッピングする（Ｓ５０１）。公衆網で保持する情報は、発番号が契約者回線番号である０３−１１１１−１０００、発サブアドレスは８３０−２９９９となる。
【０１７４】
緊急呼発信に使用したＩＳＤＮトランクのＢチャネルに対して割り当てる緊急呼情報メモリには、緊急呼番号として“１１０”、呼状態値として「緊急呼発信」、タイマ値として０、緊急呼発信端子番号として緊急呼発信タンデム専用線（Ｄｐチャネル共通線）のトランク収容位置、緊急呼発信端子番号として８３０−２９９９、緊急呼端子サブアドレスとしてＮＵＬＬをセットする。このメモリの状態を、図３の設定値例５にも示す。
【０１７５】
その後、緊急呼再呼び出しが行なわれると、公衆網から受信するＳＥＴＵＰ信号の発番号には１１０が、着番号には、契約者回線番号から市外局番を除いた番号である１１１１−１０００が、着サブアドレスには、緊急呼発信時に発サブアドレス番号で指定した選別番号＋内線番号８３０−２９９９がマッピングされている（図１７のＳ５２２）。受信した発番号１１０と当該Ｂチャネルに対して割り当てられている緊急呼情報メモリに格納されている緊急番号１１０が一致するため、このＳＥＴＵＰ信号は緊急呼再呼び出しであることが分かり、図９に示すフローチャートの通り、緊急呼発信内線等着信制御手段（Ｔ２２５）は、Ｔ２２５−０１の結果Ｔ２２５−０８のステップを選択することにより、緊急呼情報メモリの情報を元に、緊急呼発信タンデム専用線に対して、対向ＰＢＸの内線２９９９を呼び返す（図１７のＳ５２３〜Ｓ５２４）。
【０１７６】
このとき、緊急呼情報メモリの緊急呼発信端子情報や緊急呼端子番号は、呼び返す専用線トランクを決定したり、そのトランクに送出する着番号を決定したりするために使用する。但し、Ｄｐチャネル共通線等の専用線を介して対向ＰＢＸとの間で緊急呼呼び返しを行なう手段は、公衆網側とのインタフェースを意識する必要はあまりなく、独自手順でもよいので、本発明を適用するＥＰＢＸと対向ＰＢＸ間のインタフェースは本発明の請求範囲には含めない。
【０１７７】
例えば、特許文献６に示される集線区間の回線を保持する方式等をＥＰＢＸと対向ＰＢＸ間のインタフェースに適用した場合も、本発明は容易に組み合わせて利用することができる。このような独自手順では、ＥＰＢＸと対向ＰＢＸの両方に発明を適用する必要があるが、本発明は、ＥＰＢＸとＩＮＳとのインタフェース制御、ＥＰＢＸ内部のプログラム制御、ＥＰＢＸに接続される端子とのインタフェース制御に特徴があり、対向ＰＢＸには本発明を適用することは必須ではない。これは、本発明は、緊急呼発信の再呼び出しに適応させる必要がある公衆網インタフェースがあるＥＰＢＸのみに適用が可能なこと、また、ネットワーク内の全ＰＢＸに本発明を適用する場合に、１局ずつの適用が可能である（全局同時の適用が必須ではない）長所を示している。
【０１７８】
次に、本発明の他の実施の形態として、その基本的構成は上記の通りであるが、「トランク・Ｂチャネル選択手段」について、図５の※印に記したように、Ｔ１２２−０１のステップを、「緊急呼メモリが設定されているトランク（Ｂチャネル）は、（トランク使用中状態と同様に扱い）捕捉させない」から、「緊急呼メモリに設定されている緊急呼発信端子情報・緊急呼端子番号及び緊急呼発信端子サブアドレスと一致する端子が、当該方路にＩＮＳ発信する場合は、そのトランク（Ｂチャネル）を捕捉させる」と変更した場合の実施の形態について説明する。
【０１７９】
この場合、緊急呼発信内線以外がＩＮＳ発信した場合、緊急呼メモリが設定されているＢチャネル以外を捕捉し、公衆網側でビジーとならないのは変更前の構成例と同様の動作となる。
【０１８０】
但し、緊急呼発信内線がＩＮＳ発信した場合には、緊急呼メモリが設定されているＢチャネルを捕捉して発信するため、次のような動作となる。
【０１８１】
発サブアドレスに内線番号をマッピングすることを、緊急呼に限らない構成にした場合、当該内線からのＩＮＳ発信で公衆網に送信するＳＥＴＵＰ信号の発番号・発サブアドレスが一致するため、公衆網側で緊急呼が保留されていれば、公衆網側の仕様により、その着番号に関わらず、緊急呼受付台に強制的に再接続される。
【０１８２】
緊急呼保持の観点から考察すれば、この実施の形態の方が優れた効果が得られると考えることができる。但し、課金情報を収集しているシステムの場合には、課金装置に出力する情報を着番号を元にしている場合が多いが、このとき、課金情報と実際に公衆網側での課金が異なってしまうという問題が生じる。この問題は、課金装置に出力する情報を公衆網側の料金通知サービスで通知される情報を元にするなど、工夫をすればある程度回避可能であるが、国際発信やＮＣＣ発信等、料金通知情報が公衆網から送信されない場合もあるので、注意が必要である。これは、本発明と組み合わせるシステムの実装機能や運用条件を考慮してどの実施の形態を採用するか決定すればよい。
【０１８３】
発サブアドレスに内線番号を付加することを、緊急呼に限る構成にした場合には、当該内線からのＩＮＳ発信で公衆網に送信するＳＥＴＵＰ信号の発番号・発サブアドレスが、緊急呼再発信の場合は一致し、緊急呼再発信以外の場合は不一致となるため、緊急呼再発信の場合は緊急呼受付台に再接続され、緊急呼再発信以外は公衆網側でビジーとなる。
【０１８４】
ここで、注意が必要なことは、１１０発信で緊急呼が公衆網側で保留されている状態で、当該緊急呼発信内線が１１９発信した場合も、網側で１１０受付台に強制的に接続されてしまうことである。これは、実際に当該Ｂチャネルを捕捉して発信しないと、公衆網側で緊急呼の保留が継続しているかどうかが分からない、公衆網側の仕様に起因する。
【０１８５】
この課題を回避するために、「ＳＥＴＵＰ信号編集手段（緊急呼）特有部分」について次のように改良する。図７の※印に記したように、発サブアドレスにマッッピングする番号を内線番号から、緊急呼番号と内線番号を組み合わせたものに変更する。すると、最初の１１０緊急呼発信の場合は、発サブアドレスは１１０＋内線番号であり、１１０再発信の場合も発サブアドレスが１１０＋内線番号であるから発番号・発サブアドレスともに一致するため１１０受付台に再接続され、１１９緊急呼発信の場合は、発サブアドレスが１１９＋内線番号であるから発サブアドレスが不一致となり、公衆網側でビジーとなる。これで、上記課題は解消される。
【０１８６】
本発明のさらに他の実施の形態として、その基本的構成は上記の通りであるが、緊急呼発信内線等着信制御手段、及び緊急呼情報メモリタイマ制御手段について、図１８から図１９に記したように変更した実施の形態について説明する。
【０１８７】
本発明では、特許文献２、３に記載の発明のように、緊急呼発信内線を予約状態とすることを必須としていない。但し、両文献２、３に記載の発明のように緊急呼発信内線を予約状態とする方式と組み合わせて使用することは可能である。
【０１８８】
緊急呼発信内線を予約状態とすることを必須としていないのは、ＩＳＤＮの緊急呼では、緊急呼発信内線先掛け復旧後、緊急呼受付台が切断しても、公衆網からは保留が解除されたことが通知されないため、発着可能なＩＳＤＮトランクであれば、一般呼着信があるまで、発信専用のＩＳＤＮトランクであれば、緊急呼情報メモリにセットする緊急呼再呼び出し待ちタイマ（先の実施の形態では４分とした）がタイムアウトするまで当該内線が発信できないことを防ぐためである。緊急呼発信内線を予約しないことによって、公衆網側の緊急呼保留状態によらず、緊急呼発信内線切断後、直ちに緊急呼発信内線を使用することが可能となる。
【０１８９】
ここで、緊急呼発信内線を予約しない場合には、新たな課題が発生する。それは、緊急呼再呼び出しがかかった場合に、当該内線が使用されてしまっていて呼び出しを行うことができない場合があるということである。この課題を解決するため、緊急呼発信内線等着信制御手段、及び緊急呼情報メモリタイマ制御手段を図１８及び図１９に記したように変更する。
【０１９０】
緊急呼再呼び出しがかかった場合に、当該緊急呼発信内線が空き状態の場合は、当該緊急呼発信内線をすぐに呼び返す。このとき、緊急呼情報メモリに、緊急呼発信内線不応答タイマ（仮に２０秒とする）を設定する。
【０１９１】
緊急呼再呼び出しがかかった場合には、当該緊急呼発信内線が他の内線や外線と二者通話状態の場合は、当該緊急呼発信内線に割り込み接続する。すなわち、当該緊急呼内線を呼び出し、当該内線が応答した状態と同様の状態に遷移する。
【０１９２】
緊急呼再呼び出しがかかった場合には、当該緊急呼発信内線が空きでも二者通話状態でもない場合は、一定時間（仮に３０秒とする）待ち続ける。当該内線が空きの状態又は二者通話状態に遷移した時点で、呼び出し又は割り込み接続する。一般的に、電話機を使用するのは二者通話状態であるから、例えば、緊急呼発信内線がダイヤル中状態には呼び返しを行うことができないが、その後すぐにダイヤルが完了して二者通話状態に遷移するケースが多いから、殆どのケースで緊急呼受付台が緊急呼発信内線の再呼び出しに成功することが期待できる。
【０１９３】
また、一定時間、緊急呼発信内線を呼び返せない状態（空きでも二者通話状態でもない状態）が継続（再呼び出し待機中タイマタイムアウト：先の例では３０秒）なり、緊急呼発信内線を呼び出せたが不応答（緊急呼再呼び出し（不応答）タイマタイムアウト：先の例では２０秒）が継続なりした場合には、局データ設定等で予め指定しておいた緊急呼特定内線（例えば、緊急呼発信内線が所属する部門の代表内線や、守衛室の内線）を呼び出す。ここで、緊急呼特定内線がディジタル多機能電話機等の文字情報等を表示可能な端末の場合には、緊急呼情報メモリに記憶されている緊急呼発信端子情報・緊急呼発信端子番号・緊急呼発信端子サブアドレス等を元にした、緊急呼発信内線の情報を表示すれば、緊急呼特定内線で緊急呼再呼び出し呼を受けた人が、迅速に対応できることが期待できる。
【０１９４】
但し、緊急呼の性格から、緊急呼発信内線を呼び返す場合は、各種転送系機能（不在転送等）や内線代表機能を無効とし、緊急呼特定内線を呼び返す場合は、これらの機能が動作する実施の形態が考えられる。
【図面の簡単な説明】
【０１９５】
【図１】本発明にかかるＥＰＢＸの一実施の形態を含むシステム全体の構成図である。
【図２】本発明にかかるＥＰＢＸのブロック図である。
【図３】本発明にかかるＥＰＢＸの緊急呼情報メモリの構成図である。
【図４】本発明にかかるＥＰＢＸの緊急呼情報メモリの制御例を示す図である。
【図５】本発明にかかるＥＰＢＸのトランク・Ｂチャネル選択手段の動作を示すフローチャートである。
【図６】本発明にかかるＥＰＢＸの緊急呼番号識別手段の動作を示すフローチャートである。
【図７】本発明にかかるＥＰＢＸのＳＥＴＵＰ信号編集手段の動作（緊急呼特有部分）を示すフローチャートである。
【図８】本発明にかかるＥＰＢＸの緊急呼番号照合手段の動作を示すフローチャートである。
【図９】本発明にかかるＥＰＢＸの緊急呼発信内線等着信制御手段の動作を示すフローチャートである。
【図１０】本発明にかかるＥＰＢＸの緊急呼情報メモリタイマ制御手段の動作を示すフローチャートである。
【図１１】本発明にかかるＥＰＢＸにおける緊急呼発信から切断までのシーケンス図である。
【図１２】本発明にかかるＥＰＢＸにおける緊急呼再呼び出しから応答までのシーケンス図である。
【図１３】本発明にかかるＥＰＢＸにおける緊急呼発信及び再呼び出し（ダイヤルイン番号が割り当てられていない内線からの緊急呼発信）のシーケンス図である。
【図１４】本発明にかかるＥＰＢＸにおける緊急呼発信及び再呼び出し（ダイヤルイン番号が割り当てられているＩＳＤＮ端末からの緊急呼発信）のシーケンス図である。
【図１５】本発明にかかるＥＰＢＸにおける緊急呼発信及び再呼び出し（ダイヤルイン番号が割り当てられていないＩＳＤＮ端末からの緊急呼発信）のシーケンス図である。
【図１６】本発明にかかるＥＰＢＸにおける緊急呼発信及び再呼び出し（ダイヤルイン番号が割り当てられていないＩＳＤＮ端末からの緊急呼発信（サブアドレスあり））のシーケンス図である。
【図１７】本発明にかかるＥＰＢＸにおける緊急呼発信及び再呼び出し（Ｄｐチャネル共通線からのタンデム緊急呼発信）のシーケンス図である。
【図１８】本発明にかかるＥＰＢＸの改良した緊急呼発信内線等着信手段、緊急呼情報メモリタイマ制御手段、緊急呼発信内線等着信手段の動作を示すフローチャートである。
【図１９】本発明にかかるＥＰＢＸの改良した緊急呼発信内線等着信手段、緊急呼情報メモリタイマ制御手段、緊急呼情報メモリタイマ制御手段の動作を示すフローチャートである。
【符号の説明】
【０１９６】
ＥＰＢＸ  ＥＰＢＸ（Electronic Private Branch Exchange）
ＣＰＵ  中央処理装置（Central Processing Unit）
ＭＥＭ  記憶装置（メモリ：memory）
ＳＴＡ  内線電話機（Station）
ＬＣ  ライン回路（Line Circuit）
ＩＬＣ  ＩＳＤＮ用ライン回路（ISDN Line Circuit）
ＴＲＫ  トランク回路（Trunk Circuit）
Ｔ１２２−９９  「Ｔ１２２−０１  捕捉ルート・トランク選択」の説明及び補足説明
「緊急呼情報メモリが設定されているトランク（Ｂチャネル）は、（トランク使用中状態時と同様に扱い）捕捉させない。」
※  本発明の実施の別の形態として、緊急呼発信した内線の緊急呼再発信は、当該Ｂチャネルを優先的に選択させる方法もある。
Ｔ１２４−９９  ・・・  「Ｔ１２４−０１  緊急呼番号チェック」の説明
「緊急呼番号  １１０（警察），１１９（消防），１１８（海上保安機関）及び、これらの前に１８６（発信者番号通知），１８４（発信者番号非通知）が付加された番号である。」
Ｔ２２３−９９  ・・・  「Ｔ２２３−０１  緊急呼番号チェック」の説明
「緊急呼番号  １１０（警察），１１９（消防），１１８（海上保安機関）でかつ、緊急呼情報メモリに格納されている緊急呼番号に一致」
Ｔ１２８−９９  ・・・  「図７  発サブアドレス」に関する補足説明
※  本発明の実施の別の形態として、発サブアドレスには図中に示した番号に、緊急呼発信番号を付加したものを使用する方式もある。
【図１】
2008048123.tif 000003
【図２】
2008048123.tif 000004
【図３】
2008048123.tif 000005
【図４】
2008048123.tif 000006
【図５】
2008048123.tif 000007
【図６】
2008048123.tif 000008
【図７】
2008048123.tif 000009
【図８】
2008048123.tif 000010
【図９】
2008048123.tif 000011
【図１０】
2008048123.tif 000012
【図１１】
2008048123.tif 000013
【図１２】
2008048123.tif 000014
【図１３】
2008048123.tif 000015
【図１４】
2008048123.tif 000016
【図１５】
2008048123.tif 000017
【図１６】
2008048123.tif 000018
【図１７】
2008048123.tif 000019
【図１８】
2008048123.tif 000020
【図１９】
2008048123.tif 000021